(57)【要約】【課題】画像とレコードを簡便に対応付けて管理する。【解決手段】画像一覧表示ウィンドウ７０は、画像が記録されているフォルダ（ディレクトリ）を選択するためのフォルダ選択領域７１と、選択されたフォルダ内に記録されている画像ファイルを画像に展開した上で一覧表示するための画像一覧表示領域７２を備えている。レコードに関連付ける画像ファイルの指定については、画像一覧表示７２におけるいずれかの画像（ここではｇ１．ｊｐｇとする）を選択状態にし、画像関連付け実行を指定するためのメニュー７３を表示させる。これらの操作は一般にマウスカーソル７４を目的のレコードに合わせ、マウスボタンのクリック操作により実施することができる。【選択図】  図２３
2005011121.tif 000002
【特許請求の範囲】
【請求項１】
少なくとも１つの項目を含む少なくとも１つのレコードからなるデータを読み込むための読み込み手段と、
前記読み込み手段により読み込まれたデータを一覧表示するためのデータ一覧表示手段と、
少なくとも１つの画像を一覧表示するための画像一覧表示手段と、
前記データ一覧表示におけるレコード及び前記画像一覧表示における画像を各々指定するための指定手段と、
前記指定手段により指定されたレコード及び画像を関連付けて記憶するための記憶手段とを備えたことを特徴とする情報処理装置。
【請求項２】
少なくとも１つの項目を含む少なくとも１つのレコードからなるデータを含むデータファイルを読み込むためのデータ読み込み手段と、
前記データ読み込み手段により読み込まれたデータを一覧表示するためのデータ一覧表示手段と、
少なくとも１つの画像ファイルを読み込むための画像読み込み手段と、
前記画像読み込み手段により読み込まれた画像を一覧表示するための画像一覧表示手段と、
前記データ一覧表示におけるレコード及び前記画像一覧表示における画像を各々指定するための指定手段と、
前記指定手段により指定されたレコードに対し、前記指定手段により指定された画像を関連付けるための関連付け手段と、
前記関連付け手段による関連付けの結果を記憶する記憶手段とを備えたことを特徴とする情報処理装置。
【請求項３】
少なくとも１つの項目を含む少なくとも１つのレコードからなるデータを含むデータファイルを読み込むデータ読み込みステップと、
前記読み込まれたデータを一覧表示するデータ一覧表示ステップと、
少なくとも１つの画像ファイルを読み込む画像読み込みステップと、
前記読み込まれた画像を一覧表示する画像一覧表示ステップと、
前記データ一覧表示におけるレコード及び前記画像一覧表示における画像を各々指定するための指定ステップと、
前記指定されたレコードに対し、前記指定された画像を関連付けるための関連付けステップと、
前記関連付けの結果を記憶する記憶ステップと、から成ることを特徴とする情報処理方法。
【発明の詳細な説明】
【０００１】
【発明の属する技術分野】
本発明は、少なくとも１つの画像を一覧表示する情報処理装置及び方法に関する。
【０００２】
【従来の技術】
従来、医療分野においては、Ｘ線、ＣＴ、ＭＲＩ、超音波観測装置、内視鏡装置等の画像撮像機器を用いた診断が広く行われている。
【０００３】
例えば内視鏡装置においては、細長の挿入部を体腔内に挿入し、固体撮像素子等を撮像手段に用いて体腔内臓器等をモニタ画面により観察し、診断をすることができる。また、前記体腔内臓器へ超音波を照射し、この超音波の反射あるいは透過度等により該体腔内臓器の状況をモニタ画面により観察し、検査あるいは診断することのできる超音波内視鏡装置も広く用いられている。
【０００４】
また、これらの機器により撮像された画像に様々な情報を付加して保存し、必要時に検索、取得及び表示することができる画像ファイリングシステム等も普及している。
【０００５】
一方、これらの医用画像撮像装置を用いた最終的な診断は医師の主観に依存している部分が多大であり、客観的・数値的な診断に直接結びつく診断支援情報の提示が望まれていた。
【０００６】
診断支援情報とは、画像所見の数値化、疾患に関する統計情報表示、特徴量を用いた識別分類結果による疾患種別の表示などが挙げられる。
【０００７】
診断支援情報を提示する情報処理装置としては、これは画像ファイリングシステム等に記録された多くの患者、検査及び画像情報を基に、診断支援情報を提示するものである（例えば、特許文献１参照）。
【０００８】
さらに、診断支援情報を提示する情報処理装置の例として、本出願人による特願２００２−３６１３２６号においては、画像と情報を統合管理し、統計学的検定、各種画像解析及び数値解析、表・グラフの作成等を効率的に行うことにより、各種医学情報管理と研究実施、さらには診断支援情報の構築を可能とする情報処理装置が開示されている。
【０００９】
【特許文献１】
特開平１０−１４８６４号公報（第３−２３頁、図１−４０）
【００１０】
【発明が解決しようとする課題】
このような特願２００２−３６１３２６号に示される従来の情報処理装置においては、画像と情報を統合的に管理するデータベースを備えている。このような管理を実現する場合のデータ入力において、情報が先に存在している状態で後から画像を対応付ける、もしくは先に画像のみが存在している状態で後から情報を対応付ける作業が煩雑となる。例えば前者の場合、表計算型ソフトウェア｛例えばＭｉｃｒｏｓｏｆｔ社製Ｅｘｃｅｌ（登録商標）等｝に蓄積されたデータファイルを情報処理装置で読み込み、各情報項目（レコード）に対し光磁気ディスク（ＭＯ）等にまとめて保存されていた画像を一つ一つ対応付ける作業が必要である。通常、このような情報処理装置においては、項目を選択し、メニュー等から関連付け機能を呼び出し、関連付ける画像のファイル名を指定することとなる。
しかし、目的とする画像をファイル名から直感的に選択することは通常困難であり、一度画像を確認のために表示する等の煩雑な手間が必要であった。
【００１１】
本発明は、前記事情に鑑みてなされたものであり、画像とレコードを簡便に対応付けて管理することが可能な情報処理装置及び方法を提供することを目的としている。
【００１２】
【課題を解決するための手段】
前記目的を達成するため請求項１に記載の情報処理装置は、少なくとも１つの項目を含む少なくとも１つのレコードから成るデータを読み込むための読み込み手段と、前記読み込み手段により読み込まれたデータを一覧表示するためのデータ一覧表示手段と、少なくとも１つの画像を一覧表示するための画像一覧表示手段と、前記データ一覧表示におけるレコード及び前記画像一覧表示における画像を各々指定するための指定手段と、前記指定手段により指定されたレコード及び画像を関連付けて記憶するための記憶手段とを備えたことを特徴とする。
【００１３】
請求項２に記載の情報処理装置は、少なくとも１つの項目を含む少なくとも１つのレコードから成るデータを含むデータファイルを読み込むためのデータ読み込み手段と、前記データ読み込み手段により読み込まれたデータを一覧表示するためのデータ一覧表示手段と、少なくとも１つの画像ファイルを読み込むための画像読み込み手段と、前記画像読み込み手段により読み込まれた画像を一覧表示するための画像一覧表示手段と、前記データ一覧表示におけるレコード及び前記画像一覧表示における画像を各々指定するための指定手段と、前記指定手段により指定されたレコードに対し、前記指定手段により指定された画像を関連付けるための関連付け手段と、関連付け手段による関連付けの結果を記憶する記憶手段とを備えたことを特徴とする。
【００１４】
請求項３に記載の情報処理方法は、少なくとも１つの項目を含む少なくとも１つのレコードから成るデータを含むデータファイルを読み込むデータ読み込みステップと、前記読み込まれたデータを一覧表示するデータ一覧表示ステップと、少なくとも１つの画像ファイルを読み込む画像読み込みステップと、前記読み込まれた画像を一覧表示する画像一覧表示ステップと、前記データ一覧表示におけるレコード及び前記画像一覧表示における画像を各々指定するための指定ステップと、前記指定されたレコードに対し、前記指定された画像を関連付けるための関連付けステップと、前記関連付けの結果を記憶する記憶ステップと、から成ることを特徴とする。
【００１５】
【発明の実施の形態】
以下、本発明の実施の形態を図面を参照して説明する。
（第１の実施の形態）
図１乃至図２３は本発明の第１の実施の形態に係り、図１は内視鏡情報システムを示すブロック図、図２は記憶装置に記憶されるデータベースを示す説明図、図３は情報入力部を示すブロック図、図４は入力ウィンドウを示す説明図、図５は上段、中段、下段の入力ウィンドウを示す説明図、図６は検索条件入力ウィンドウを示す説明図、図７は画像特徴量作成部を示すブロック図、図８はグラフ作成条件入力ウィンドウを示す説明図、図９は検定実行条件入力ウィンドウを示す説明図、図１０は一覧表を示す説明図、図１１は表示列管理表を示す説明図、図１２はログオン処理ウィンドウを示す第１の説明図、図１３は内視鏡ファイリング装置におけるユーザ情報の管理例を示す説明図、図１４はログオン処理ウィンドウを示す第２の説明図、図１５はユーザ管理部を示すブロック図、図１６は第１の実施の形態の特徴を説明するための比較例の関連付け処理の流れを示すフローチャート、図１７は図１６の比較例による表型式ファイル選択のためのダイアログを示す説明図、図１８はデータ一覧表示を示す説明図、図１９はデータ一覧表示によるレコードの選択を示す説明図、図２０は図１６の比較例による画像ファイル選択のためのダイアログを示す説明図、図２１は関連付け処理の流れを説明するためのフローチャート、図２２は画像一覧ウィンドウを示す説明図、図２３は画像一覧ウィンドウによるレコードの選択を示す説明図である。
【００１６】
（構成）
図１に示すように、本発明の第１の実施の形態において、情報処理装置１と、内視鏡観察装置２と、内視鏡ファイリング装置３とは、内視鏡情報システムを構成してる。
【００１７】
情報処理装置１は、画像とレコードを簡便に対応付けて管理することが可能になっている。
【００１８】
即ち、情報処理装置１は、画像及び診断に関するレコードを統合管理し、各種統計処理、グラフ・表の作成等を行うことができる。また、情報処理装置１は、画像解析手法適用による特徴量算出機能を備え、診断支援情報を生成することが可能となっている。
【００１９】
情報処理装置１には、内視鏡観察装置２と、内視鏡ファイリング装置３とが接続されている。
【００２０】
内視鏡観察装置２は、生体内を撮像してアナログ画像信号を出力する。
内視鏡ファイリング装置３は、内視鏡観察装置２の出力するアナログ画像信号から画像データを生成して情報処理装置１に供給する。
【００２１】
情報処理装置１は、コンピュータ４と、操作装置５と、記憶装置６と、表示装置７と、外部記憶装置８とを含んで構成されている。
【００２２】
コンピュータ４は、各種データ処理を行う。操作装置５は、キーボードとマウスとから成る。記憶装置６は、ハードディスクから成る。表示装置７は受像官（ＣＲＴ）から成る。
【００２３】
ここで、第１の実施の形態における情報処理装置１の特徴は、コンピュータ４において実行されるアプリケーションプログラムとして実現される。
【００２４】
記憶装置６は、コンピュータ４に接続されている。記憶装置６は、図２に示すデータベース２１を含んでいる。
【００２５】
図２に示すように、データベース２１は、ＳＱＬデータベースであって、患者情報テーブル２２と、画像情報テーブル２３と、関心領域情報テーブル２４とを含んでおり、患者情報、画像情報、関心領域情報を記録するようになっている。
また、データベース２１は、画像データを画像ファイルとして記憶している。
【００２６】
患者情報テーブル２２は、患者ＩＤ、患者名等の患者情報を記録するようになっている。図１に示すコンピュータ４は、患者ＩＤにより、患者情報テーブル２２内のレコードを一意に区別する。
【００２７】
画像情報テーブル２３には、画像データや画像ＩＤ等の画像情報を記録するようになっている。コンピュータ４は、画像ＩＤにより、画像情報テーブル２３内のレコードを一意に区別する。
【００２８】
関心領域情報テーブル２４には、領域ＩＤ、領域データや特徴量等の関心領域情報を記録するようになっている。図１に示すコンピュータ４は、領域ＩＤにより、関心領域情報テーブル２４内のレコードを一意に区別する。ここで、関心領域とは、画像内に設定される矩形または自由閉曲線の内部領域であって、病変等の注目対象を囲んだ領域のことを示す。また、特徴量とは、後述のＩＨｂ、血管面積比等の、疾患を定量的に評価する指標数値のことを示す。
【００２９】
関心領域情報テーブル２４内の各レコードは、画像ＩＤによって画像情報テーブル２３内の該当レコードにリンクされる。画像情報テーブル２３内の各レコードは、患者ＩＤによって患者情報テーブル２２内の該当レコードにリンクされる。以上により、データベース２１に記録される情報は、患者情報、画像情報、関心領域情報の階層構造によって管理される。
【００３０】
図１に示す操作装置５を操作するユーザは、表示装置７の表示する内容にしたがって、メニュー項目の選択やボタンなどの指示や、文字列の入力を行う。
【００３１】
ユーザが操作装置５の操作によりメニュー項目の選択やボタンの押下などを行うと、コンピュータ４は、該コンピュータ４内にイベントを発生させる。これにより、コンピュータ４は、イベントループを繰り返し実行し、発生したイベントに応じた処理を実行する。
【００３２】
コンピュータ４は、情報入力部１１と、検索条件入力部１２と、画像特徴量作成部１３と、画像関心領域作成部１４と、情報一覧作成部１５と、グラフ実行部１６と、検定実行部１７と、外部情報入出力部１８と、ユーザ管理部１９とを有しており、イベントに応じて、情報の入力、表示内容の作成、数値解析処理の実行を行い、処理結果を表示装置７に表示する。
【００３３】
情報入力部１１は、図３に示すように、入力選択部３０と、一括入力部３１と、項目１入力部３２と、項目２入力部３３と、項目３入力部３４とを含んで構成される。
【００３４】
（作用）
図３に示すように、情報入力部１１の一括入力部３１、項目１入力部３２、項目２入力部３３、項目３入力部３４は、それぞれ図４に示す入力ウィンドウ３５、図５に示す上段、中段、下段の入力ウィンドウ３６，３７，３８を表示装置７に表示する。情報入力部１１は、図２に示す患者情報テーブル２２及び画像情報テーブル２３に記録された情報を編集して、その内容を更新する。
【００３５】
図４に示す入力ウィンドウ３５は、各項目の入力部１０１、小画面１０２、更新釦１０３を有する。
【００３６】
また、図３に示す情報入力部１１は、内視鏡ファイリング装置３より出力される画像データ等の画像情報を、画像情報テーブル２３に新規に記録する処理も行う。
【００３７】
図１に示す検索条件入力部１２は、図６に示す検索条件入力ウィンドウ３９を表示装置７に表示させる。
【００３８】
図６に示すように、検索条件入力ウィンドウ３９は、各検索条件の入力部１０４、検索釦１０５、キャンセル釦１０６を有する。図１に示す検索条件入力部１２は、図６に示す検索条件入力ウィンドウ３９によりユーザが入力した患者名、検査日、診断名の検索条件を元にして、図２に示すデータベース２１を検索実行し、検索結果である患者情報、画像情報、関心領域情報をコンピュータ４内に保持させる。
【００３９】
図７に示すように、画像特徴量作成部１３は、特徴量選択部４０とＩＨｂ算出部４１と血管面積比算出部４２とを含み、コンピュータ４内に保持された画像情報及び関心領域情報を元にして、関心領域内部の画像データから特徴量を算出して作成する。
【００４０】
ＩＨｂ算出部４１は、特徴量“ＩＨｂ”を画像データから算出する。血管面積比算出部４２は、特徴量“血管面積比”を画像データから算出する。
【００４１】
各特徴量の詳細について、ＩＨｂはＲＧＢ色信号から構成される内視鏡画像の各画素ごとに、以下の式（１）により求められる値である。
【００４２】
ＩＨｂ＝３２ｌｏｇ２Ｒｉ／Ｇｉ      …（１）
ＩＨｂは、粘膜下血液量に相関する値として知られ、粘膜の色調が赤い程高い値をとる。ここで、ｉは画素の番号を示す添え字であり、Ｒｉは画素ｉの赤の明るさ、Ｇｉの画素ｉの赤の明るさ、画像全体または設定された領域内の平均値を診断支援情報として用いる。
【００４３】
また、医用内視鏡分野においては、血管形態の解析も、重要な画像所見の一つとしてあげられる。血管の形態（画像中に血管の占める割合（血管面積比）、血管の太さ、血管の長さ、血管の分岐点数及び交差点数、血管のボケ具合）を数値化し、主観的に判断されていた血管形態の評価を、数値として評価する。
【００４４】
たとえば、血管面積比は、ＲＧＢ色信号のＧ信号に対して、画像に適応して決定される閾値により２値化して粘膜と血管とを分離し、設定された領域内に血管の占める面積の割合として求められる。
【００４５】
図１に示す画像関心領域作成部１４は、ユーザによる、操作装置５を用いた指示操作により、指定された画像内に関心領域を設定する。
【００４６】
図１に示すグラフ実行部１６は、図８に示すグラフ作成条件入力ウィンドウ４３により指示された条件に従い、図１に示すコンピュータ４内に保持された患者情報、画像情報、関心領域情報を元にして、ヒストグラム、１次元散布図、２次元散布図、棒グラフなどのグラフを作成し、表示装置７に表示する。
【００４７】
図８に示すように、グラフ作成条件入力ウィンドウ４３は、手法、分類、データ値１、データ値２の各入力部１０７，１０８，１０９，１１０と、実行釦１１１と、キャンセル釦１１２とを有する。
【００４８】
図１に示す検定実行部１７は、図９に示す検定実行条件入力ウィンドウ４４により指示された条件に従い、コンピュータ４内に保持された患者情報、画像情報、関心領域情報を元にして、平均値の差の検定を実行する。
【００４９】
図９に示すように、検定実行条件入力ウィンドウ４４は、分類、データ値の各入力部１１３，１１４と、実行釦１１５と、キャンセル釦１１６とを有する。
【００５０】
図１に示す情報一覧作成部１５は、コンピュータ４内に保持された患者情報及び画像情報及び関心領域情報を元にして、図１０に示す一覧表４５を作成する。
【００５１】
図１０に示すように、一覧表４５は、縮小画像一覧４６と、情報リスト４７から成る。
【００５２】
また、一覧表４５はメニュー４８を有しており、メニュー４８内の項目を選択することで、各種処理を実行するイベントを発生させる。
【００５３】
縮小画像一覧４６における縮小画像１１７は、図２に示す画像情報テーブル２３の画像データに基づく画像を縮小したものである。画像情報に関連する関連領域情報がある場合には、関心領域情報内の領域データと画像データを合成したデータを縮小することにより、画像に関心領域を描画した縮小画像１１７を作成して使用する。
【００５４】
情報リスト４７は、患者情報及び画像情報及び関心領域情報を一覧する閲覧リストである。情報リスト４７は、列項目の表示文字と表示順序を、図１に示す記憶装置６に記憶されている図１１に示す表示列管理表４９に基づいて決定する。
【００５５】
図１１に示す表示列管理表４９は、図１０に示す情報リスト４７の列項目の表示順序と表示文字のほかに、編集属性と、表示情報の階層と、表示属性とを関連付けて保持している。
【００５６】
図１に示す外部情報入出力部１８は、外部記憶装置８からの画像及び情報の取得と、情報処理装置１に記憶された画像及び情報の出力を行う。
【００５７】
外部記憶装置８は光磁気（ＭＯ）ディスク、ＤＶＤディスク等の可搬型メディアを用いた記憶装置である。
【００５８】
情報処理装置１は、内視鏡ファイリング装置３からオンラインで画像及び情報を取得することに加え、外部記憶装置８を経て各種メディアに記憶した画像ファイル及び表計算ファイル等の情報を入力することができる。
【００５９】
また、情報処理装置１は、図２に示すデータベース２１に記録された画像及び情報を、例えばＪＰＥＧ形式及びＣＳＶファイル形式（表計算ファイルの標準的形式）で出力する。
【００６０】
また、情報処理装置１は、内視鏡ファイリング装置３に対して画像データ等の情報を取得するにあたり、内視鏡ファイリング装置３を構成するサーバーへのログオン処理を実施する。ログオン処理はユーザ管理部１９を介して以下のように行うようになっている。
【００６１】
初めに、ログオンの開始に当たり図１２に示すログオン処理ウィンドウ５０上でユーザ名及びパスワードを入力する。ユーザ名はユーザ名選択部１２１上のプルダウンメニューから自己のログオン名を選択する。パスワードはパスワード入力部１２２に入力し、ＯＫボタン１２３を押下する。
【００６２】
図１に示す内視鏡ファイリング装置３のユーザは、通常、医師、看護師及び技師等の限られた院内スタッフであり、内視鏡ファイリング装置３においてユーザ情報としてログオン名、パスワード、スタッフ種別コード及びＩＤが組となって管理されている。
【００６３】
内視鏡ファイリング装置３におけるユーザ情報の管理例を図１３に示す。
【００６４】
図１３示すように、ユーザ管理情報５１は、ＩＤ、ユーザ名を表すＮａｍｅ、パスワードを表すＰａｓｓｗｏｒｄ、スタッフ種別コードを表すＳｔａｆｆ＿Ｃｏｄｅを管理している。ここで、Ｓｔａｆｆ＿Ｃｏｄｅの値１ないし３はそれぞれ「１：医師、２：看護師、３：技師」を表すものとする。
【００６５】
情報処理装置１は、内視鏡ファイリング装置３にアクセスし、ユーザ管理情報５１を取得の上、選択可能なユーザ名をユーザ名選択部１２１に表示する。ユーザ名は、図１４に示すように、ログオン処理ウィンドウ５０上のボタン１２４を押下することによりプルダウンメニュー１２５の状態で展開される。プルダウンメニュー１２５は上下方向にスクロールするためのスクロールバー１２６を備えており、多くのユーザが存在する場合でも目的とするユーザ名を選択できるようになっている。
【００６６】
ただし、内視鏡ファイリング装置３のすべてのユーザが情報処理装置１を使用するのでなく、ログオン許可を例えば特定の医師に限定する場合もある。この場合はプルダウンメニュー１２５内にはログオン許可を与える特定のユーザ名のみを表示することが望ましい。
【００６７】
以上を実現するにあたり、図１５に示すように、ユーザ管理部１９は、図１４のユーザ名選択部１２１に表示するユーザ名を決定する表示ユーザ名設定部６１と、内視鏡ファイリング装置３からユーザ管理情報５１を取得するためのユーザ管理情報取得部６２と、ユーザフィルタ情報６３と、ログオン処理を実行するログオン処理部６４とを備えている。
【００６８】
ユーザフィルタ情報６３は、図１４のプルダウンメニュー１２５に表示するユーザ名を定義するための管理情報で、例えば以下のような条件を使用する。
【００６９】
第１に、Ｓｔｕｆｆ＿Ｃｏｄｅが１（医師）であるユーザを表示する。
第２に、特定のＩＤのユーザを表示する。
ユーザ管理情報取得部６２は内視鏡ファイリング装置３からユーザ管理情報５１を取得し、表示ユーザ名設定部６１に送信する。
【００７０】
表示ユーザ名設定部６１は、取得したユーザ管理情報５１及びユーザフィルタ情報６３を参照し、図１４に示すプルダウンメニュー１２５に表示するユーザ名、すなわちログオン許可を与えるユーザ名を選択する。
【００７１】
そして、ログオン処理部６４は表示ユーザ名設定部６１において得られたユーザ名を用いて図１４に示すログオン処理ウィンドウ５０を作成し、ログオン処理を実行する。
【００７２】
続いて、第１の実施の形態における画像とレコードの関連付けについて説明する。
【００７３】
図１に示す情報処理装置１に対する画像及び情報の入力においては、内視鏡ファイリング装置３はネットワークで接続されていることから画像と情報が関連付けられた状態で取得可能であり、画像及び情報は、そのまま図２にデータベース２１に記憶される。以後、操作者は情報処理装置１の操作装置５及び情報入力部１１の機能を用いて追加情報を入力すればよい。一方、ＭＯディスク等の可搬型メディアに画像ファイル及び表形式ファイル等で画像と情報が独立に管理されている場合も多い。具体的には画像はＪＰＥＧ形式のファイル、情報はＭｉｃｒｏｓｏｆｔ社製Ｅｘｃｅｌ（登録商標）等のソフトウェアで構築したデータファイルとなっている。
【００７４】
これらの画像及び情報を関連付けて情報処理装置１に記憶するためには、以下のような操作が必要となる。
【００７５】
ここで、第１の実施の形態の特徴を説明するために、図１６乃至図２０を用いて関連付け処理の流れの比較例を説明する。
【００７６】
図１６は比較例の関連付け処理の流れを説明するためのフローチャートである。
【００７７】
図１６に示すように、この比較例の場合、ユーザは、ステップＳ１において、表形式ファイル（ここではＣＳＶファイルとする）を選択する。選択は図１７に示すダイアログ６５上でファイル名を指定することにより行う。
【００７８】
ステップＳ２においては、情報入力部１１は指定されたＣＳＶファイルを読み込み、コンピュータ４は、図１８に示すデータ一覧表示６６の状態で表示装置７に情報を表示する。データ一覧表示６６において、列（縦）方向は項目を表し、行（横）方向は複数の項目から成るレコードを表している。
【００７９】
続くステップＳ３において、ユーザは、画像を関連付けるレコード（項目）を選択状態にし、図１９に示すデータ一覧表示６６に画像関連付け実行を指定するためのメニュー６７を表示させる。これらの操作は一般にマウスカーソル６８を目的のレコードに合わせ、マウスボタンのクリック操作により実施することができる。このようなメニュー６７の選択指示により、表示装置７は、図２０に示す画像ファイル選択のためのダイアログ６９が表示される。図１９に示す例では、レコード（項目）Ｎｏ．２が選択されたことを示している。
【００８０】
ステップＳ４においては、ユーザは、ダイアログ６９上でファイル名を指定することにより、レコード項目Ｎｏ．２に関連づける画像を決定する。
【００８１】
ステップＳ５においては、情報入力部１１はレコード（項目）Ｎｏ．２とステップＳ４において指定された画像ファイルとを関連付け、図２に示すデータベース２１に登録する。
【００８２】
続くステップＳ６においては、ユーザは、他のレコード（項目）についても同様の関連付け操作を行う場合はステップＳ３ないしＳ５の一連の操作を実行し、そうでないならば終了する。
【００８３】
以上の図１６乃至図２０に示した比較例の一連の繰作においては、ステップＳ４における画像ファイルの指定を直感的に行うことが困難であり、誤った関連付けを行う確率も高い。特に画像ファイルが多数存在している場合等、逐一画像を表示して関連付けるべき画像データであることを確認する必要があり非常に煩雑となる。
【００８４】
次に、第１の実施の形態における関連付け処理の流れを説明する。
図２１は第１の実施の形態における関連付け処理の流れを説明するためのフローチャートである。
【００８５】
図２１において、ステップＳ１１及びＳ１２は、それぞれ図１６におけるステップＳ１及びＳ２と同様の処理となっており、ステップＳ１１及びＳ１２において、情報入力部１１は、ＣＳＶファイルを読み込み、コンピュータ４は、データ一覧表示を行う。
【００８６】
ステップＳ１３において、コンピュータ４は、可搬型メディアに記録された画像を一覧表示するための図２２に示す画像一覧表示ウィンドウを起動する。
【００８７】
画像一覧表示ウィンドウ７０は、画像が記録されているフォルダ（ディレクトリ）を選択するためのフォルダ選択領域７１と、選択されたフォルダ内に記録されている画像ファイルを画像に展開した上で一覧表示するための画像一覧表示領域７２を備えている。画像ファイルはファイルの拡張子（例えばＪＰＥＧ形式であれば「．ｊｐｇ」）により認識する。図２２においては、フォルダ選択領域７１は、コンピュータ４に関連するドライブ及びフォルダの階層にしたがった木構造のフォルダ表示を行い、目的とするフォルダを選択可能となっている。
【００８８】
次に、ステップＳ１４において、コンピュータ４は、選択されたフォルダ内の画像を画像一覧表示７２に表示する。画像一覧表示７２においては各画像を縮小したインデックス画像として並べて表示する。また、各インデックス画像は各画像に対するアイコンの役割も果たすものとなっており、例えばインデックス画像上でマウスボタンを操作することでその画像に対する処理のメニューを表示するようになっている。
【００８９】
続くステップＳ１５及びＳ１６において、コンピュータ４は、関連付けする情報のレコード及び画像ファイルを、それぞれ図１８におけるデータ一覧表示６６及び図２２における画像一覧表示領域７２上で指定する。各々の指定はどちらを先に実施することも可能である。第１の実施の形態においては先にレコードの指定を行うものとし、図１８におけるデータ一覧表示６６のレコードＮｏ．２が選択状態にあるものとする。関連付ける画像ファイルの指定については、図２３に示すように画像一覧表示７２におけるいずれかの画像（ここではｇ１．ｊｐｇとする）を選択状態にし、画像関連付け実行を指定するためのメニュー７３を表示させる。これらの操作は一般にマウスカーソル７４を目的のレコードに合わせ、マウスボタンのクリック操作により実施することができる。
【００９０】
ステップＳ１７において、コンピュータ４は、メニュー７３による関連付け実行指定を受けて、レコードＮｏ．２と画像ファイルｇ１．ｊｐｇとを関連付け、図２に示すデータベース２１に登録する。
【００９１】
続くステップＳ１８においては、図１に示すコンピュータ４は、他のレコードについても同様の関連付け操作を行う場合はステップＳ１５ないしＳ１７の一連の操作を実行し、そうでないならば終了する。
【００９２】
ステップＳ１５及びＳ１６において、コンピュータ４は、先に画像ファイルを選択し、次いで関連付けるレコードを指定する場合には、図１９に示すデータ一覧表示６６においてメニュー６７と同様の処理を行いステップＳ１７に進む。
【００９３】
なお、関連付けが終了したレコード及び画像ファイルについては、表示背景色を変更する等により関連付け終了をユーザに分かるようにしてもよい。また、図１８に示すデータ一覧表示６６の列データ（縦方向）として「画像ファイル名」を加え、関連付けた画像ファイル名を表示する、あるいは画像一覧表示７２のインデックス画像上にレコードＮｏ．を表示してもよい。
【００９４】
また、以上においては選択及びメニューを用いての関連付けを例に説明したが、より簡便にドラッグ＆ドロップ操作により実現することも容易である。この場合、図１８に示すデータ一覧表示６６及び図２２に示す画像一覧表示７２における各レコード及びインデックス画像を相互にドラッグ＆ドロップすることで関連付けを行う。
【００９５】
このような構成及び作用により、情報入力部１１は、少なくとも１つの項目を含む少なくとも１つのレコードから成るデータを読み込むための読み込み手段となっている。
【００９６】
図１８に示すデータ一覧表示６６は、前記読み込み手段により読み込まれたデータを一覧表示するためのデータ一覧表示手段となっている。
【００９７】
図２２に示す画像一覧表示７２は、少なくとも１つの画像を一覧表示するための画像一覧表示手段となっている。
【００９８】
図１９に示すマウスカーソル６８及びメニュー６７と図２３に示すメニュー７３及びマウスカーソル７４は、前記データ一覧表示６６におけるレコード及び前記画像一覧表示７２における画像を各々指定するための指定手段となっている。
【００９９】
図２に示すデータベース２１は、前記指定手段により指定されたレコード及び画像を関連付けて記憶するための記憶手段となっている。
【０１００】
次に、第１の実施の形態の情報処理装置１が提供する診断支援情報の詳細について説明する。
【０１０１】
一般に医療における診断行為は医師の判断により主観的に行われている。このことは医師の経験差や主観判断の違いによる診断結果の相違が生じる可能性があることを示している。
【０１０２】
この問題に対し、第１の実施の形態の情報処理装置１は、診断支援情報として、画像所見に対する情報の客観的表示、線形判別関数やニューラルネットワーク等の識別分類手法を用いた疾患分類結果表示等を行うことにより、定量化された客観的情報を提供することで、ばらつきのない正確な診断を実現している。
【０１０３】
診断支援情報として、例えば以下に示すバリエーションが考えられる。これらの診断支援情報は、画像撮像機器（モダリティ、第１の実施の形態において内視鏡観察装置２）、検査部位、注目する疾患等に応じて適宜作成される。
【０１０４】
診断支援情報の第１の例として、画像所見の数値化が考えられる。
画像所見の数値化について以下に説明する。
医用内視鏡分野においては、例えば重要な画像所見の一つとして色調があげられる。色調の違いを客観的に表す数値（特徴量）としては、式（１）に示したＩＨｂが広く用いられている。
【０１０５】
また、医用内視鏡分野においては、上述した血管形態の解析も、重要な画像所見の一つとしてあげられる。
【０１０６】
これらの所見の特徴量を参考に、医師は最終的な診断を実施する。したがって、通常は「粘膜表面が赤い」「血管の占める割合が大きい」等の主観的な判断に依存していた所見が、第１の実施の形態に示す診断支援コンテンツを参照することにより客観的かつ数値化された所見として示され、普通の所見評価、診断情報として医師間で共有使用されることとなる。
【０１０７】
診断支援情報の第２の例として、疾患に関する統計情報表示があげられる。    疾患に関する統計情報表示の数値化について以下に説明する。
ユーザは、診断支援情報の第１の例として示した特徴量を多数収集し、医師によって下された診断ごとにまとめ、統計処理を適用することにより、特徴量と診断との関連性が明らかになり、新たな診断基準を見出す可能性がある。
【０１０８】
例えば、正常群と疾患群とにおけるＩＨｂを収集し、ＩＨｂに関して平均値の差の検定を実行した結果として、正常群と疾患群との間に有意な差がある、ということになれば、ＩＨｂが、正常と疾患の診断基準となる可能性が高まる。
【０１０９】
したがって、対象となる所見及びその特徴量を疾患診断の判断基準として使用することに対する正当性を、客観的に判断することとなる。
【０１１０】
また、各群の特徴量平均値及び標準誤差を用いることにより、特徴量の値に基づいて疾患可能性を判定する新規の診断法開発につながる。
【０１１１】
診断支援情報の第３の例として、特徴量を用いた識別分類結果による疾患種別表示があげられる。
【０１１２】
特徴量を用いた識別分類結果による疾患種別表示について以下に説明する。
【０１１３】
ユーザは、診断支援情報の第１の例として示した特徴量を多数収集し、医師によって下された診断ごとにまとめ、線形判別関数やニューラルネットワーク等の識別分類手法から構成される多変量解析を実行することにより、特徴量から疾患可能性を判定する、新たな診断手法を見出す可能性がある。
【０１１４】
例えば、正常群と疾患群とにおけるＩＨｂや血管面積比等の特徴量を収集し、多変量解析を実行した結果として、正常群と疾患群とを判別可能である、ということになれば、特徴量による判別法が、正常と疾患とを判別する診断手法となる可能性が高まる。
【０１１５】
したがって、画像を注視しながら医師が主観的に判断して疾患部を発見するスクリーニング作業において、第１の実施の形態に示す診断支援コンテンツをリアルタイムに適用することにより、疾患可能性の高い位置を指し示して見落としを防止する、発見補助システムの開発につながる。
【０１１６】
以上のような、特徴量及び統計情報及び識別分類結果を用いた情報処理は内視鏡画像に限らず、Ｘ線や超音波画像の他のモダリティ、構造成分や濃淡情報等の各種所見に対し適宜作成できる。また、例えば血液検査による赤血球数等、画像から得られる特徴量以外の数値に対しても同様の診断支援情報の提供を行うことができる。
【０１１７】
（効果）
以上説明したように、第１の実施の形態における情報処理装置１によれば、画像とレコードを簡便に関連付けて管理することが可能になり、ユーザの操作の手間を減らすことができる。
【０１１８】
（第２の実施の形態）
ところで、特開平１０−１４８６４号公報及び特願２００２−３６１３２６号においては、画像解析手法を用いた診断所見の数値化により定量的・客観的な診断支援の実現を目的としている。
【０１１９】
診断支援情報は、例えば粘膜の色調や血管走行形態から病変の種別、良悪性判断等を補助するものであるが、基となる画像データが良質であることが必要となる。最も望ましいのは非圧縮もしくは可逆圧縮形式で保存された劣化のない画像であるが、通常はデータ量の問題から非可逆圧縮処理が適用されることが多い。
【０１２０】
医用画像ファイル装置は高画質であることを考慮して圧縮率は低めに設定され、例えば内視鏡画像では最高で１／１０程度が目安とされている。一方、医用画像ファイル装置から例えば学会発表用資料の作成等のため画像データを選択的に取り出すことがある。この場合、汎用的なＪＰＥＧ形式が広く利用され、例えば１／２０等の高い圧縮率の画像が生成される。また、画質よりもコストを優先する医用画像ファイル装置も存在し、当初から高圧縮率での保存を行っている場合もある。
【０１２１】
このような高圧縮率の非可逆画像データにおいては、例えばＪＰＥＧ形式であれば高周波成分の劣化による微細構造の欠落、ブロック歪み・モスキートノイズが発生し、画像解析結果に無視できない影響を与えることとなる。しかしながら、画像にどのような非可逆圧縮を適用されたかを判断する情報は基本的に存在せず、ＪＰＥＧ形式からさらにビットマップ形式等の非圧縮フォーマットに再変換された画像に至ってはデータサイズから圧縮率を推定することも不可能となる。
【０１２２】
したがって、このような高圧縮率の画像が情報処理装置の記録データとして登録された場合、画像解析による診断支援情報生成用データとして不適であることを判断することが困難となっていた。
【０１２３】
このことに対応して第２の実施の形態は、不適切な画像を認識し、診断支援情報生成のためのデータからの除外が可能となるようにしている。
【０１２４】
図２４乃至図２７は本発明の第２の実施の形態に係り、図２４は外部情報入出力部を示すブロック図、図２５は外部情報入出力部の動作を説明するためのフローチャート、図２６は画像圧縮の詳細を設定するための設定ウィンドウを示す説明図、図２７は圧縮情報付加原画像を示す説明図である。
【０１２５】
図２４乃至図２７に図示しない内視鏡情報システムの構成要素については、図１乃至図２３を代用して説明する。
【０１２６】
（構成）
本発明の第２の実施の形態の情報処理装置においては、画像解析手法を用いた診断支援情報の生成において、不適切となる画像の混入を防ぐことを可能にしている。
【０１２７】
ここで、一般に、ＪＰＥＧ等の非可逆圧縮を受けた画像は画質が低下するため、診断及び画像解析における利用に好ましくない場合がある。しかし、ソフトウェア等でＪＰＥＧからビットマップ画像ファイル等の無圧縮もしくは非可逆圧縮画像に再変換された場合、その画像が非可逆圧縮されたことや圧縮率等がわからなくなる。そこで、第２の実施の形態においては画像に対し各種の情報を付与することにより不適切な画像であることを認識し、診断支援情報生成のためのデータからの除外を可能とする。以下、図面を参照して説明する。
【０１２８】
第２の実施の形態における情報処理装置の基本構成は、第１の実施の形態において図１で示した情報処理装置１と同様である。
【０１２９】
第２の実施の形態においては、図１で示した外部情報入出力部１８に対し図２４に示す機能を付加する。
【０１３０】
図２４において、外部情報入出力部１８は、画像圧縮部８１と、圧縮情報生成部８２と、圧縮情報付加部８３と、圧縮画像出力部８４とを含んでいる。
【０１３１】
画像圧縮部８１は、指定した画像データを圧縮するためのものである。圧縮情報生成部８２は、圧縮に関する情報を生成するためのものである。圧縮情報付加部８３は、生成された圧縮情報を画像に付加するためのものである。圧縮画像出力部８４は、圧縮画像を画像ファイルとして出力するためのものである。
【０１３２】
このような構成により、画像圧縮部８１は、画像データを非可逆圧縮ファイル化するための圧縮手段となっている。
【０１３３】
圧縮情報生成部８２及び圧縮情報付加部８３は、前記画像データに対し非可逆圧縮の適用を示す情報を重畳する重畳手段となっている。
【０１３４】
（作用）
第２の実施の形態における外部情報入出力部１８の動作を図２５を用いて説明する。
【０１３５】
図２５に示すように、まず、ステップＳ２０において、ユーザは、外部に出力する画像を選択する。この選択は例えば図１０に示す縮小画像１１７上でマウスボタンを操作することにより実施する。このとき、縮小画像１１７上でメニューを表示し、例えば「ファイル出力」のメニューを選択することで外部情報入出力部１８はステップＳ２１に進む。
【０１３６】
ステップＳ２１において、ユーザは、圧縮方法を選択する。
【０１３７】
この場合の画像圧縮の詳細を設定するための設定ウィンドウを図２６を用いて説明する。
【０１３８】
図２６において、設定ウィンドウ８５は、圧縮方法（ここでは非圧縮も含む）を選択するためのプルダウンメニュー８６を備えており、可逆もしくは非可逆圧縮のいずれを適用するかを選択できるようになっている。さらに、非可逆圧縮を適用する場合にユーザは、画質設定スライダ８７を用いて画質を設定する。非可逆圧縮画像における画質は圧縮率に基づくもので、画質を低く設定するにしたがい圧縮率が高く、生成されるファイルのサイズが小さくなるというトレードオフの関係となっている。設定完了後、ユーザが確定ボタン８８を押下することにより外部情報入出力部１８は図２５に示すステップＳ２２の処理を行う。
【０１３９】
図２５に示すように、ステップＳ２２において、外部情報入出力部１８は、ステップＳ２０で選択された画像データを取得する。画像データは図１に示す記憶装置６に画像ファイルとして記憶されており、図２に示すデータベース２１を参照して目的とする画像ファイルを取得する。
【０１４０】
第２の実施の形態においては画像は、サイズ６４０×４８０、８ｂｉｔ階調（０〜２５５）、ＲＧＢの３プレーンから成るものとする。また、取得した画像を原画像Ｉｍ１とする。
【０１４１】
続くステップＳ２３において、外部情報入出力部１８は、ステップＳ２１において選択された圧縮方法の種別による分岐を行う。外部情報入出力部１８は、もし可逆圧縮が選択されていればステップＳ２９へ、非可逆圧縮画像が選択されていればステップＳ２４に進む。
【０１４２】
ステップＳ２９において、外部情報入出力部１８は、原画像Ｉｍ１に対し可逆圧縮処理を適用し、可逆圧縮画像Ｉｍ５を生成する。
【０１４３】
続くステップＳ３０において、外部情報入出力部１８は、得られた可逆圧縮画像Ｉｍ５をファイルとして出力する。ファイル出力にあたっては、図２０に類するファイル出力用のダイアログを表示し、出力先のドライブ、フォルダ及びファイル名を指定する。
【０１４４】
一方、ステップＳ２４において、外部情報入出力部１８は、原画像Ｉｍ１に対し非可逆圧縮処理を適用することにより第１の非可逆圧縮画像Ｉｍ２を生成する。
【０１４５】
次に、ステップＳ２５において、外部情報入出力部１８は、非可逆圧縮画像Ｉｍ２に関する圧縮情報を取得する。第２の実施の形態において、圧縮情報は「圧縮方法」、「圧縮後のファイルサイズ」、「圧縮率」からなっている。
【０１４６】
「圧縮方法」は例えばＪＰＥＧ等の圧縮方法名称が該当する。「圧縮後のファイルサイズ」は非可逆圧縮画像Ｉｍ２のファイルサイズである。
【０１４７】
「圧縮率」は例えば非可逆圧縮画像Ｉｍ２のファイルサイズが１２３０００（ｂｙｔｅ）であれば、原画像Ｉｍ１のファイルサイズが９２１６００（ｂｙｔｅ）であることから１２３０００／９２１６００≒０．１３３となり、０．１３３もしくは１３．３％となる。
【０１４８】
次に、ステップＳ２６において、外部情報入出力部１８は、原画像Ｉｍ１に対しステップＳ２５において取得した圧縮情報を画像上に重畳する処理を行い、圧縮情報付加原画像Ｉｍ３を生成する。医用画像には画像の表示領域以外に暗黒部等が存在することが多く、圧縮情報を記録する領域として利用可能である。もし全画面が表示領域であれば四隅等の診断に差し障りのない領域に重畳すればよい。
【０１４９】
図２７に圧縮情報付加原画像Ｉｍ３の例を示す。
図２７において、圧縮情報付加原画像９０は、画像表示領域９１と圧縮情報表示領域９２を備えており、前述した各情報が文字として重畳されている。また、圧縮情報表示領域９２は画質状態表示領域９３を有している。
【０１５０】
画質状態表示領域９３は、圧縮率に応じて異なる色で塗りつぶされた領域であり、例えば圧縮率５０％未満を高画質とし、ＲＧＢ各プレーンの画素の値を（０，０，２５５）とし、圧縮率５０％〜７５％を中画質とし、同じく（２５５，２５５，０）、圧縮率７５％以上を低画質とし、同じく（２５５，０，０）とする。
【０１５１】
ユーザーは、画像解析時に画質状態表示領域９３を参照することにより、ソフトウェアによる自動処理で画質の状態を判定し、不適切な画像を除外することが可能となる。
【０１５２】
また、例えば（２５５，２５５，２５５）及び（０，０，０）の値を数画素おきに縞状に並べる等、特定のパターンを重畳することにより同様の効果を得ることもできる。その際は例えば圧縮率に応じて縞の幅を変更すればよい。
【０１５３】
次に、図２５に示すステップＳ２７において、外部情報入出力部１８は、圧縮情報付加画像Ｉｍ３に対する非可逆圧縮処理を適用し、圧縮情報付加非可逆画像Ｉｍ４を生成する。
【０１５４】
ステップＳ２８において、外部情報入出力部１８は、圧縮情報付加非可逆画像Ｉｍ４をステップＳ３０と同様にして非可逆圧縮画像ファイルとして出力する。
【０１５５】
なお、圧縮情報を非可逆圧縮画像Ｉｍ２ではなく原画像Ｉｍ１に付加する理由は、非可逆圧縮画像Ｉｍ２に付加する場合は一度Ｉｍ２を伸張し、再度圧縮する必要があることから劣化が二重となってしまうためである。
【０１５６】
非可逆圧縮画像Ｉｍ２及び圧縮情報付加非可逆画像Ｉｍ４のファイルサイズは、圧縮情報付加により若干変動するが、数十〜数千ｂｙｔｅ程度の微小なものと考えられる（この値は圧縮情報領域の表示内容、文字形態等により変動する）。
また、本来診断支援情報の生成に用いる画像領域内の画質は同等であることから第２の実施の形態における目的に対しては影響を及ぼさない。
【０１５７】
また、第２の実施の形態を変形例として、すでに非可逆圧縮が適用された画像ファイルを可逆圧縮もしくは無圧縮画像に変換する際に、適用済みの非可逆圧縮に関する情報を重畳することも可能である。
【０１５８】
（効果）
以上説明したように、第２の実施の形態によれば、画像に対し各種の情報を付与することにより不適切な画像であることを認識し、診断支援情報生成のためのデータからの除外が可能となる。
【０１５９】
（第３の実施の形態）
ところで、特願２００２−３６１３２６号に示される情報処理装置においては、画像と情報を統合的に管理する画像データベースを備えている。従来、画像データベースにおける画像記憶方法には、画像データそのものをデータベースに記録する方法と、画像ファイルを別の記憶領域に記憶しておき、データベースには画像ファイル名を記録する方法と、がある。
【０１６０】
前者の画像データそのものをデータベースに記録する方法は、データベースのバックアップ及び復元において使用するバックアップファイルが少数で済むため、バックアップ作業及びバックアップファイルの管理が簡便である反面、データベースに記録された画像データへのアクセス速度が低下する、という問題がある。
【０１６１】
後者の画像ファイル名をデータベースに記録する方法は、画像データへのアクセス速度は低下しないが、データベースのバックアップ及び復元において、コピーするファイル数が膨大となり、バックアップ作業及びバックアップファイルの管理が煩雑である、という問題がある。
【０１６２】
このことに対応して第３の実施の形態は、データベースのバックアップファイルの管理の労力を軽減することが可能となるようにしている。
【０１６３】
図２８乃至図３５は本発明の第３の実施の形態に係り、図２８は内視鏡情報システムを示すブロック図、図２９は記憶装置に記憶されるデータベースを示す説明図、図３０は診断支援情報処理プログラムを示すブロック図、図３１は一覧表を示す説明図、図３２はアーカイブファイルの構造を示す説明図、図３３は診断支援情報処理プログラムによるイベントループを示すフローチャート、図３４は診断支援情報処理プログラムによるデータのバックアップを示すフローチャート、図３５は診断支援情報処理プログラムによるデータの復元を示すフローチャートである。
【０１６４】
図２８乃至図３５を用いた第３の実施の形態の説明において、図１乃至図２３に示した第１の実施の形態と同様の構成要素には同じ符号を付して説明を省略している。
【０１６５】
（構成）
図２８において、情報処理装置２０１には、ＬＡＮ２２０を介して内視鏡観察装置２と、内視鏡ファイリング装置３とが接続されている。
【０１６６】
また、情報処理装置２０１は、コンピュータ２０４と、操作装置５と、記憶装置２０６と、表示装置７とを具備する。
【０１６７】
コンピュータ２０４は、各種データ処理を行う。記憶装置２０６は、ハードディスクから成る。
【０１６８】
さらに詳細に説明すると、コンピュータ２０４は、ＣＰＵ２１１と、メモリ２１２と、外部記憶Ｉ／Ｆ２１３と、ネットワークカード２１４と、操作Ｉ／Ｆ２１５と、グラフィックボード２１６と、バス２１７とを有している。
【０１６９】
ＣＰＵ２１１は、各種制御及び処理を行う。メモリ２１２は、制御、処理手順及びデータを記憶する。
【０１７０】
外部記憶Ｉ／Ｆ２１３は、記憶装置２０６との間で情報の読み書きを行う。    操作Ｉ／Ｆ２１５は、操作装置５との入出力を行う。
グラフィックボード２１６は、表示装置７にビデオ信号を出力する。
ＣＰＵ２１１と、メモリ２１２と、外部記憶Ｉ／Ｆ２１３と、ネットワークカード２１４と、操作Ｉ／Ｆ２１５と、グラフィックボード２１６とは、バス２１７に接続されており、バス２１７を介して相互にデータのやり取りを行う。
【０１７１】
ネットワークカード２１４は、ＴＣＰ／ＩＰをプロトコルとするＬＡＮ２２０に接続され、ＬＡＮ２２０上に接続されている内視鏡ファイリング装置３と通信を行う。
【０１７２】
記憶装置２０６はコンピュータ２０４に接続されている。
記憶装置２０６は、図２９に示すデータベース２２１と、実行ファイル群２２２と、付与情報ファイル群２２３と、領域データファイル群２２４と、一時ファイル格納領域２２５を含んでいる。
【０１７３】
実行ファイル群２２２は、複数の実行ファイルまたは動的リンクライブラリファイルまたは設定ファイルから構成され、必要に応じて、ファイルの内容がメモリ２１２に記憶される。
【０１７４】
図２８に示すＣＰＵ２１１は、メモリ２１２に記憶されたファイルの内容に基づいて、制御、処理を行う。
【０１７５】
図２９に示す実行ファイル群２２２は、コンピュータ２０４により、フォルダ内にまとめられたファイルとして管理される。
【０１７６】
データベース２２１は、ＳＱＬデータベースであって、患者情報テーブル２２６と、付与情報テーブル２２７と、関心領域情報テーブル２２８とを含んでおり、患者情報、付与情報、関心領域情報が記録される。
【０１７７】
患者情報テーブル２２６には、患者ＩＤ、患者名等の患者情報を記録する。コンピュータ２０４は、患者ＩＤにより、患者情報テーブル２２６内のレコードを一意に区別する。
【０１７８】
付与情報テーブル２２７には、付与情報ファイル名、付与情報ＩＤ等の患者の検査に付与される情報を記録する。第３の実施の形態では、付与情報として、画像を扱う。図２８に示すコンピュータ２０４は、付与情報ＩＤにより、図２９に示す付与情報テーブル２２７内のレコードを一意に区別する。
【０１７９】
関心領域情報テーブル２２８には、領域ＩＤ、領域データファイル名、特徴量等の関心領域情報を記録する。図２８に示すコンピュータ２０４は、領域ＩＤにより、図２９に示す関心領域情報テーブル２２８内のレコードを一意に区別する。
【０１８０】
ここで、関心領域とは、画像内に設定される矩形または自由閉曲線の内部領域であって、病変等の注目対象を囲んだ領域のことを示す。また、特徴量とは、前述のＩＨｂ、血管面積比等の、疾患を定量的に評価する指標数値のことを示す。
【０１８１】
付与情報テーブル２２７に記録された付与情報ファイル名に対応するファイルは、図２８に示す内視鏡ファイリング装置３により記録された画像データを含むデータファイルであって、図２９に示す付与情報ファイル群２２３として、記憶装置２０６に記録する。付与情報ファイル群２２３は、フォルダー内にまとめられたファイルとして管理する。
【０１８２】
関心領域情報テーブル２２８に記録された領域データファイル名に対応するファイルは、矩形または自由閉曲線を表現するデータファイルであって、領域データファイル群２２４として、それぞれ記憶装置２０６に記録する。領域データファイル群２２４は、フォルダー内にまとめられたファイルとして管理する。
【０１８３】
関心領域情報テーブル２２８内の各レコードは、付与情報ＩＤによって付与情報テーブル２２７内の該当レコードにリンクされる。付与情報テーブル２２７内の各レコードは、患者ＩＤによって患者情報テーブル２２６内の該当レコードにリンクされる。
【０１８４】
以上により、データベース２２１に記録される情報は、患者情報、付与情報、関心領域情報の階層構造によって管理される。
【０１８５】
図２８に示す操作装置５は、表示装置７の表示する内容に従って、メニュー項目の選択やボタンなどの指示や、文字列の入力を行う。操作装置５の操作によりメニュー項目の選択やボタンの押下などを行うと、図２９に示す操作Ｉ／Ｆ２１５を通じてコンピュータ２０４内にイベントが発生する。
【０１８６】
図２８に示すコンピュータ２０４のＣＰＵ２１１は、図２９に示す実行ファイル群２２２に含まれるファイルを基にして、診断支援情報処理プログラムを実行する。診断支援情報処理プログラムは、イベントループを繰り返し実行し、コンピュータ２０４内に発生したイベントに応じて各種機能の処理を実行する。
【０１８７】
図３０に示す診断支援情報処理プログラム２３１は、実行する処理機能ごとに、図２９に示す実行ファイル群２２２内の動的リンクライブラリファイル及び初期化ファイルを対応付けており、実行ファイル群２２２内に動的リンクライブラリファイルまたは初期化ファイルを新規作成または更新することによって、診断支援情報処理プログラムの実行する処理機能の拡張、更新を行う。
【０１８８】
動的リンクライブラリファイル、及び、初期化ファイルには、各々が担当する機能に関する情報を埋め込み、該情報を基にして、診断支援情報処理プログラム内の機能ブロックの変更、拡張が行われるよう構成する。
【０１８９】
図３０に示すように、診断支援情報処理プログラム２３１は、情報入力部２３２と、検索実行部２３３と、画像特徴量作成部２３４と、画像関心領域作成部２３５と、情報一覧作成部２３６と、グラフ実行部２３７と、検定実行部２３８と、バックアップ部２３９と、復元部２４０とを機能ブロックとして含んでいる。
【０１９０】
診断支援情報処理プログラム２３１は、各種のイベントに応じて、情報の入力、表示内容の作成、数値解析処理、データベースのバックアップと復元、といった処理機能の実行を行い、処理結果を図２８に示す表示装置７に表示する。
【０１９１】
図３０に示す情報入力部２３２は、患者情報テーブル２２６及び付与情報テーブル２２７に記録された情報を編集して、その内容を更新する。また、図２８に示す内視鏡ファイリング装置３より出力される画像データを、画像ファイルとして付与情報ファイル群２２３内に記録し、付与情報テーブル２２７に新規に情報記録する処理も行う。
【０１９２】
図３０に示す検索実行部２３３は、ユーザにより指示された検索条件を元にして、データベース２２１を検索実行し、検索結果である患者情報、付与情報、関心領域情報を図２８に示すコンピュータ２０４内のメモリ２１２に保持する。第３の実施の形態では、検索条件として、患者名、検査日、診断名を使用する。
【０１９３】
図３０に示す画像関心領域作成部２３５は、ユーザによる、操作装置６を用いた指示操作により、指定された画像内に関心領域を設定し、関心領域情報として図２９に示すデータベース２２１内の関心領域情報テーブル２２８に記録する。
【０１９４】
図３０に示す画像特徴量作成部２３４は、図２８に示すコンピュータ２０４内のメモリ２１２に保持された付与情報及び関心領域情報を元にして、関心領域内部の画像データから算出される特徴量を作成し、関心領域情報として図２９に示すデータベース２２１内の関心領域情報テーブル２２８に記録する。
【０１９５】
ここで、図３０に示す画像特徴量作成部２３４は、ＩＨｂ算出部２４１と血管面積比算出部２４２を有する。
【０１９６】
ＩＨｂ算出部２４１は、前述の特徴量“ＩＨｂ”を画像データから算出する。血管面積比算出部２４２は、前述の特徴量“血管面積比”を画像データから算出する。
【０１９７】
グラフ実行部２３７は、ユーザの指示した条件に従い、図２８に示すコンピュータ２０４内のメモリ２１２に保持された患者情報、付与情報、関心領域情報を元にして、ヒストグラム、１次元散布図、２次元散布図、棒グラフなどのグラフを作成し、表示装置７に表示する。
【０１９８】
図３０に示す検定実行部２３８は、ユーザの指示した条件に従い、図２８に示すコンピュータ２０４内のメモリ２１２に保持された患者情報、付与情報、関心領域情報を元にして、平均値の差の検定を実行する。
【０１９９】
図３０に示す情報一覧作成部２３６は、図２８に示すコンピュータ２０４のメモリ２１２内に保持された患者情報及び付与情報及び関心領域情報を元にして、図３１に示す一覧表２５０を作成する。
【０２００】
一覧表２５０は、アイコンリスト２５１と、情報リスト２５２から成る。
一覧表２５０はメニュー２５３を有しており、メニュー２５３内の項目を選択することで、各種処理を実行するイベントを発生させる。
【０２０１】
アイコンリスト２５１内には、付与情報テーブル２２７に記録された付与情報ファイル名に対応する画像ファイルに基づき作成される縮小画像を、アイコンとして表示する。
【０２０２】
アイコンリスト２５１に表示されるアイコンは、図２８に示す操作装置５として使用されるマウスにより選択可能であり、マウスでアイコンが選択されている状態で、メニュー２５３の「情報表示」を選択すると、図３０に示す情報一覧作成部２３６は、選択されたアイコンに対応する画像を表示する。
【０２０３】
また、マウスでアイコンが選択されている状態で、図３１に示すメニュー２５３の「外部出力」を選択すると、図３０に示す情報一覧作成部２３６は、画像ファイルのコピーファイルをユーザの任意の場所に作成する。
【０２０４】
図３１に示す情報リスト２５２は、患者情報及び付与情報及び関心領域情報を一覧する閲覧表である。
【０２０５】
メニュー２５３の「外部出力」を選択すると、図３０に示す情報一覧作成部２３６は、情報リスト２５２として表示される閲覧表を、ユーザの指定する場所にファイル出力する。
【０２０６】
図３１に示す情報リスト２５２の１行内に表示される情報は、患者情報と、該患者情報にリンクされる付与情報と、該付与情報にリンクする関心領域情報である。
【０２０７】
情報リスト２５２に表示される情報のうちの１行を、ユーザが図２８に示す操作装置５を使用して選択すると、図３０に示す情報一覧作成部２３６は、選択行を反転表示するとともに、選択行に対応する付与情報を用いて作成された、図３１に示すアイコンリスト２５１内に存在するアイコンを反転表示する。また逆に、アイコンリスト２５１内に存在するアイコンをユーザが図２８に示す操作装置５を使用して選択すると、図３０に示す情報一覧作成部２３６は、選択アイコンを反転表示するとともに、選択アイコンに対応する付与情報を含む、図３１に示す情報リスト２５２内の行を反転表示する。
【０２０８】
図３０に示すバックアップ部２３９は、図２９に示す記憶装置２０６上に、一時ファイル格納領域２２５を確保し、記憶装置２０６に記憶されているデータベース２２１のコピーファイルの作成と、付与情報ファイル群２２３に含まれる各々の画像ファイルのコピーファイルと、領域データファイル群２２４に含まれる各々の領域データファイルのコピーファイルとを、図２９に示す一時ファイル格納領域２２５内に作成する。
【０２０９】
また、図３０に示すバックアップ部２３９は、図２９に示す一時ファイル格納領域２２５に格納されている全てのファイルについて、ファイル名とファイルサイズを順次記録したヘッダー情報を作成し、ヘッダー情報における記録の順序に対応するファイルを、ヘッダー情報に順次結合して、結合したファイルをアーカイブファイルとして、一時ファイル格納領域２２５に作成する。
【０２１０】
図３２を参照してこのようなアーカイブファイル２６０の構造を説明する。    図３２に示すように、アーカイブファイル２６０において、ヘッダー情報２６１は、ファイル名を表す文字列とファイルサイズとから構成される。第３の実施の形態においては、ファイル名の長さを２５６文字で構成し、２５６バイトで記録する。また、第３の実施の形態においては、ファイルサイズは４バイトのリトルエンディアンの符号なし整数として記録する。
【０２１１】
全てのファイルについてのファイル名とファイルサイズの記述の後に、終端を示すための２６０バイトの０が埋めこまれる。このようなヘッダー情報２６１の後には、データベースのコピー２６２、付与情報ファイルのコピー２６３、領域データファイルのコピー２６４が続く。
【０２１２】
また、図３０に示すバックアップ部２３９は、一時ファイル格納領域２２５に作成されたファイルを消去する。
【０２１３】
図３０に示す復元部２４０は、図２９に示す記憶装置２０６上に、一時ファイル格納領域２２５を確保した後、図３０に示すバックアップ部２３９の作成したアーカイブファイルのヘッダー情報を読み出し、ヘッダー情報に記述されたファイルサイズを元にして、アーカイブファイルからファイルを切り出して、一時ファイル格納領域２２５内に切り出したファイルを新規に作成する。
【０２１４】
図３０に示す復元部２４０は、図２９に示す一時ファイル格納領域２２５に格納されたデータベース２２１のコピーファイルを基に、データベース２２１の復元を行うとともに、一時ファイル格納領域２２５に格納された画像ファイルのコピーファイルと領域データファイルのコピーファイルとを、記憶装置２０６の付与情報ファイル群２２３、領域データファイル群２２４にそれぞれコピーする。
【０２１５】
また、図３０に示す復元部２４０は、図２９に示す一時ファイル格納領域２２５に生成されたファイルを消去する。
【０２１６】
（作用）
第３の実施の形態において、図３０に示す診断支援情報処理プログラム２３１は、図３３に示すフロー図に基づいてイベントループを繰り返し実行し、分岐処理により、情報の検索及び検索結果の一覧表示と、情報の登録または編集と、画像への関心領域の設定と、関心領域内の特徴量算出と、情報のグラフ表示と、情報の検定実行と、データベースのバックアップとデータベースの復元とを行う。
【０２１７】
まず、図３３に示すステップＳ３１において、コンピュータ２０４は、メニューの選択等の操作装置５の操作により診断支援情報処理プログラム２３１内に発生したイベントを取得して、イベントの種類を判別する。
【０２１８】
次に、ステップＳ３２において、診断支援情報処理プログラム２３１は、判別したイベントの種類に応じて処理を分岐して、イベントの種類に応じた処理を実行する。
【０２１９】
次に、ステップＳ３３において、診断支援情報処理プログラム２３１は、処理結果に基づき表示装置７への表示内容を更新する。
【０２２０】
ここでステップＳ３２において、分岐される処理フローのうち、データベースのバックアップに関する処理フロー図を図３４に示す。同様に、データベースの復元に関する処理フロー図を図３５に示す。
【０２２１】
ユーザが図３１に示すメニュー２５３から「バックアップ」を指示すると、図３０に示す診断支援情報処理プログラム２３１は、図３４に示すフローに従い、データベースのバックアップ処理を開始する。
【０２２２】
ステップＳ４１において、図３０に示すバックアップ部２３９は、図２９に示す記憶装置２０６に一時ファイル格納領域２２５を作成する。
【０２２３】
次に、ステップＳ４２において、図３０に示すバックアップ部２３９は、図２９に示すデータベース２２１のコピーファイルを作成し、そのコピーファイルを一時ファイル格納領域２２５に、一時作成ファイルとして記録する。
【０２２４】
次に、ステップＳ４３において、図３０に示すバックアップ部２３９は、図２９に示すデータベース２２１の付与情報テーブル２２７を全検索し、取得した全てのレコードについて、付与情報ファイル名フィールドに格納されているファイル名の指示する画像ファイルを、一時ファイル格納領域２２５にコピーする。同様にして、診断支援情報処理プログラム２３１は、データベース２２１の関心領域情報テーブル２２８を全検索し、取得した全てのレコードについて、領域データファイル名フィールドに格納されているファイル名の指示する領域データファイルを、一時作成ファイルとして、一時ファイル格納領域２２５にコピーする。
【０２２５】
次に、ステップＳ４４において、図３０に示す診断支援情報処理プログラム２３１は、バックアップ部２３９の制御により、図２９に示す一時ファイル格納領域２２５に格納されている全てのファイルについて、ファイル名とファイルサイズを順次記録したヘッダーファイルを作成し、ヘッダーファイルにおける記録の順序に対応するファイルを、ヘッダーファイルに順次結合してアーカイブファイルとし、アーカイブファイルを一時ファイル格納領域２２５に作成する。
【０２２６】
次に、ステップＳ４５において、図３０に示すバックアップ部２３９は、図２９に示す一時ファイル格納領域２２５に一時作成ファイルとして記録されたアーカイブファイル以外の全てのコピーファイルを消去し、データベースのバックアップ処理の終了とする。
【０２２７】
ユーザが図３１に示すメニュー２５３から「復元」を指示し、復元に使用するアーカイブファイル名を指定すると、図３０に示す復元部２４０において、図３５に示すフローでデータベースの復元が開始される。
【０２２８】
図３５に示すように、ステップＳ５１において、図３０に示す復元部２４０は、図２９に示す記憶装置２０６に一時ファイル格納領域２２５を作成し、アーカイブファイルを一時ファイル格納領域２２５にコピーする。
【０２２９】
次に、ステップＳ５２において、図３０に示す復元部２４０は、アーカイブファイルからファイルを抽出し、抽出したファイルを図２９に示す一時ファイル格納領域２２５に記憶させる。コンピュータ２０４は、復元部２４０の制御により、アーカイブファイルの先頭から、文字列とファイルサイズを順次読み込んでいく。読み込んだ文字列の全文字コードが０で、かつ、ファイルサイズが０であれば、アーカイブファイルの次の位置からはバックアップ部２３９が結合したコピーファイルを表すこととなる。
【０２３０】
図３０に示す復元部２４０の制御により、読み込んだ文字列とファイルサイズの順序に従い、ファイルの読込み位置からファイルサイズ分の情報をアーカイブファイルから読込み、その情報を、文字列で示されるファイル名で一時ファイル格納領域２２５に記録することを繰り返す。アーカイブファイルから全ての情報を読み終えて、一時ファイル格納領域２２５へのファイル記録を終えたら、ステップＳ５３に進む。
【０２３１】
ステップＳ５３において、図３０に示す復元部２４０は、図２９に示す一時ファイル格納領域２２５に生成されたデータベースのコピーファイルを使用して、データベース２２１の復元を行う。
【０２３２】
次に、図３０に示す復元部２４０は、図２９に示す一時ファイル格納領域２２５に生成された画像ファイルを、付与情報ファイル群２２３に記録するとともに、一時ファイル格納領域２２５に生成された領域データファイルを、領域データファイル群２２４に記録する。
【０２３３】
次に、ステップＳ５４において、図３０に示す復元部２４０は、図２９に示す一時ファイル格納領域２２５に生成されたアーカイブファイルからの抽出ファイルを全て消去し、データベースの復元処理の終了とする。
【０２３４】
このような構成及び作用により、記憶装置２０６は、所定の情報を複数のデータファイルに記録する記録装置となっている。
【０２３５】
バックアップ部２３９は、前記記録装置に記録されたデータファイルのバックアップファイルを作成するバックアップファイル作成手段となっている。
【０２３６】
復元部２４０は、前記バックアップファイル作成手段の作成するバックアップファイルに記録されている情報を前記記録装置に復元する復元手段となっている。
【０２３７】
前記バックアップファイルは、前記複数のデータファイルの各々に対応するバックアップファイルを結合した単一のファイルとなっている。
【０２３８】
（効果）
このような第３の実施の形態によれば、データベースのバックアップファイルを１つのファイルで管理することで、管理の労力を軽減することが可能となる。
【０２３９】
なお、第３の実施の形態においては、アーカイブファイル作成時にファイルの圧縮処理を行っていないが、バックアップ部２３９におけるアーカイブファイル作成において、画像ファイルまたは領域データファイルをデータ圧縮した上で、アーカイブファイルを作成してもよい。
【０２４０】
（第４の実施の形態）
ところで、特願２００２−３６１３２６号に示される情報処理装置においては、内視鏡ファイリング装置上に管理された患者情報、診断情報、画像データ等の医療情報を情報処理装置上にダウンロードして、情報処理装置上で表示、及び情報記録することを実現する。情報処理装置の形態は、医療施設や医師の要望に合わせて、ノートパソコンや、デスクトップパソコン等により実現する。
【０２４１】
情報漏洩に対する対策として、パスワードによるログオン処理や、スクリーンロックが広く利用されているが、単純すぎるパスワードを使用したり、スクリーンロックをかけ忘れることにより、悪意のある者が情報処理装置上に医療情報を表示することにより、医療情報が漏洩してしまう恐れがある。
【０２４２】
また、情報処理装置がノートパソコンである場合には、バッテリー駆動により商用電源の供給が不要なので、医療情報表示中のノートパソコンを盗難して医療情報を盗む可能性もある。
【０２４３】
このことに対応して第４の実施の形態は、医療情報及び患者のプライバシー情報の漏洩を防げるようにしている。
【０２４４】
図３６乃至図３９は本発明の第４の実施の形態に係り、図３６は情報システムを示すブロック図、図３７は診断支援情報処理プログラムを示す説明図、図３８はターミナルコンピュータとデータベースサーバの通信が確立されない状況における診断支援情報処理プログラムの処理を示すフローチャート、図３９はターミナルコンピュータとデータベースサーバの通信が確立された状況における診断支援情報処理プログラムの処理を示すフローチャートである。
【０２４５】
図３６乃至図３９を用いた第４の実施の形態の説明において、図１乃至図３５に示した第１乃至第３の実施の形態と同様の構成要素には同じ符号を付して説明を省略している。
【０２４６】
（構成）
第４の実施の形態では、図３６に示すように、第３の実施の形態における情報処理装置２０１におけるコンピュータ２０４と同様の機能を持つコンピュータとして、データベースサーバ３０２と、ターミナルコンピュータ３０３を有し、それぞれをＬＡＮ２２０に接続して、情報処理装置３０１を構成する。
【０２４７】
データベースサーバ３０２は、第３の実施の形態におけるコンピュータ２０４と接続構成が同一であり、さらに、ＣＰＵ３１１の処理能力が高いコンピュータで構成することにより、データベース２２１（図２９参照）の検索能力に優れている。
【０２４８】
ターミナルコンピュータ３０３は、第３の実施の形態におけるコンピュータ２０４と接続構成が同一であり、ノートパソコンや表示装置一体型パソコンのように、ＣＰＵ３１２の処理能力よりも可搬性に優れることを重視したコンピュータによって構成される。
【０２４９】
しかしながら、ターミナルコンピュータ３０３は、記憶装置２０６内に、データベース２２１（図２９参照）と、付与情報ファイル群２２３と、領域データファイル群２２４とを記憶していない。
【０２５０】
データベースサーバ３０２内のデータベース２２１（図２９参照）は、ネットワーク経由のデータベースのリモートアクセス要求を受け入れるよう構成されており、ＬＡＮ２２０経由によりネットワークカード２１４を介して通信して、他のコンピュータからのデータベース検索要求の受け付けと、データベース検索結果情報の出力とを行う。
【０２５１】
ターミナルコンピュータ３０３は、ネットワーク経由のデータベースのリモートアクセスを行うよう構成されており、ＬＡＮ２２０経由によりネットワークカード２１４を介して通信して、他のコンピュータへのデータベースの検索の要求とデータベース検索結果情報の取得とを行う。
【０２５２】
このような構成により、ターミナルコンピュータ３０３は、データベースサーバ３０２のデータベース２２１（図２９参照）をアクセスし、データベースサーバ３０２内のデータベース２２１（図２９参照）と、付与情報ファイル群２２３と、領域データファイル群２２４との情報を閲覧するよう構成されている。
【０２５３】
（作用）
第４の実施の形態におけるターミナルコンピュータ３０３で実行される診断支援情報処理プログラム３３１を図３７を参照して説明する。
【０２５４】
図３７に示すように、第４の実施の形態におけるターミナルコンピュータ３０３の診断支援情報処理プログラム３３１の処理ブロックは、通信判定部３３２が追加されたこと以外は、第３の実施の形態の診断支援情報処理プログラム２３１の構成と同一である。
【０２５５】
通信判定部３３２は、データベースサーバ３０２のネットワークアドレスを記憶しており、一定間隔ごとに、データベースサーバ３０２がＬＡＮ２２０に接続されているか否かの確認通信を行う。第４の実施の形態においては、ＬＡＮ２２０はＴＣＰ／ＩＰをプロトコルとして動作しており、ＴＣＰ／ＩＰのｐｉｎｇリクエストを利用して、データベースサーバ３０２のＬＡＮ２２０への接続確認を行う。
【０２５６】
通信判定部３３２は、通信確認の結果をサーバーステータスとして保持し、一定間隔ごとに更新する。
【０２５７】
サーバーステータスは、データベースサーバ３０２がＬＡＮ２２０に接続されていることを示す“ＣＯＮＮＥＣＴ”と、データベースサーバ３０２がＬＡＮ４１に接続されていないことを示す“ＤＩＳＣＯＮＮＥＣＴ”のいずれかである。
【０２５８】
ターミナルコンピュータ３０３がＬＡＮ２２０に接続していない場合は、データベースサーバ３０２とは通信できないため、サーバーステータスは“ＤＩＳＣＯＮＮＥＣＴ”となる。
【０２５９】
通信判定部３３２は、サーバーステータスに変更があった場合に、情報一覧作成部２３６に対して、サーバーステータスの伝達とともに、一覧表表示内容の更新要求を行う。
【０２６０】
情報一覧作成部２３６は、通信判定部３３２からサーバーステータスと、表示内容の更新要求を受け取ると、一覧表２５０（図３１参照）の表示更新を行う。一覧表２５０（図３１参照）の更新において、通信判定部３３２より取得したサーバーステータスが“ＤＩＳＣＯＮＮＥＣＴ”である場合には、情報一覧作成部２３６は、アイコンリスト２５１及び情報リスト２５２を空欄にして一覧表２５０（図３１参照）の表示更新を行う。また、通信判定部３３２より取得したサーバーステータスが“ＣＯＮＮＥＣＴ”である場合には、第３の実施の形態と同様に、ターミナルコンピュータ３０３のメモリ２１２内に保持された患者情報及び付与情報及び関心領域情報を元にして一覧表２５０（図３１参照）の表示更新を行う。
【０２６１】
ターミナルコンピュータ３０３と、データベースサーバ３０２との通信が確立されない状況として、以下の状況が想定される。
【０２６２】
第１に、ターミナルコンピュータ３０３と、データベースサーバ３０２と、が同時にＬＡＮ２２０に接続して、互いに通信可能な状態になっていない。
【０２６３】
第２に、ＬＡＮ２２０のシステム障害が発生している。
【０２６４】
ターミナルコンピュータ３０３と、データベースサーバ３０２との通信が確立されない状況になったときの、診断支援情報処理プログラム３３１の処理フローを図３８を参照して説明する。
【０２６５】
図３８に示すように、まず、ステップＳ６１において、図３７に示す通信判定部３３２は、自身の保持するサーバーステータスを“ＣＯＮＮＥＣＴ”から、“ＤＩＳＣＯＮＮＥＣＴ”に変更し、情報一覧作成部２３６に対して、サーバーステータスの伝達と、一覧表２５０（図３１参照）の表示内容の更新要求を行う。
【０２６６】
次に、ステップＳ６２において、情報一覧作成部２３６は、アイコンリスト２５１（図３１参照）及び情報リスト２５２（図３１参照）を空欄にして一覧表２５０（図３１参照）の表示更新を行う。
【０２６７】
また、ターミナルコンピュータ３０３と、データベースサーバ３０２との通信が確立されない状況から、通信が確立された状況となったときの、診断支援情報処理プログラム３３１の処理フローを図３９を参照して説明する。
【０２６８】
図３９に示すように、まず、ステップＳ７１において、図３７に示す通信判定部３３２は、自身の保持するサーバーステータスを“ＤＩＳＣＯＮＮＥＣＴ”から、“ＣＯＮＮＥＣＴ”に変更し、情報一覧作成部２３６に対して、サーバーステータスの伝達と、一覧表２５０（図３１参照）の表示内容の更新要求を行う。
【０２６９】
次に、ステップＳ７２において、情報一覧作成部２３６は、図３６に示すターミナルコンピュータ３０３のメモリ２１２内に保持された患者情報及び付与情報及び関心領域情報を元にして一覧表２５０（図３１参照）の表示更新を行う。
【０２７０】
このような構成及び作用により、ＬＡＮ２２０は、通信ネットワークとなっている。
【０２７１】
データベースサーバ３０２は、前記通信ネットワークに接続された情報管理装置となっている。
【０２７２】
ターミナルコンピュータ３０３は、前記通信ネットワークに接続された情報処理装置となっている。
【０２７３】
ターミナルコンピュータ３０３は、データベースサーバ３０２との接続情報（データベースサーバ３０２のネットワークアドレス）を保持する接続情報保持手段（通信判定部３３２）を備えている。
【０２７４】
ターミナルコンピュータ３０３は、前記接続情報保持手段（通信判定部３３２）の保持する接続情報に基づいて、前記ターミナルコンピュータ３０３の有する機能動作を制限する。
【０２７５】
（効果）
第４の実施の形態によれば、ターミナルコンピュータ３０３と、データベースサーバ３０２との通信が確立されない状況において、患者情報及び付与情報及び関心領域情報の表示を行わないため、ターミナルコンピュータ３０３を外部に持ち出すことによる医療情報及び患者のプライバシー情報の漏洩を防ぐことができる。
【０２７６】
なお、第４の実施の形態では、ターミナルコンピュータ３０３と、データベースサーバ３０２との通信状況変化による、一覧表２５０（図３１参照）の表示内容の更新を行うが、一覧表２５０（図３１参照）の表示内容の更新に限らず、画像ファイルのコピーファイル作成、情報リスト２５２（図３１参照）として表示される閲覧表のファイル出力など、患者情報及び付与情報及び関心領域情報の外部ファイル出力に関して制限を加えるようにしてもよい。
【０２７７】
また、ターミナルコンピュータ３０３と、データベースサーバ３０２との通信状況変化により、検索実行部２３３における検索の実行、グラフ実行部２３７におけるグラフ作成など、機能の実行に制限を加えるようにしてもよい。
【０２７８】
（第５の実施の形態）
ところで、特願２００２−３６１３２６号に示される情報処理装置においては、画像と情報を統合的に管理する画像データベースを備えているが、近年、さらに動画や音声、文書などを追加して統合的に管理するマルチメディアデータベースがある。
【０２７９】
このような多様な種類の情報の管理方法として、管理されているファイル名またはファイルデータを、情報の種類ごとに異なるデータベースまたは情報の種類ごとに異なるデータベースのフィールドに記録する方法があるが、管理するファイルの種類が増えるに従い、記録するデータベースまたはデータベースのフィールドを増やす必要があり、管理労力が増大する。
【０２８０】
また、多様な種類の情報を統合的に閲覧する方法として、情報の種類ごとに表示欄を設けてアイコンを用いて統合表示する方法や、全ての管理情報のファイル名を一覧表示する方法がある。
【０２８１】
しかしながら、前者の方法では、情報を表示するための表示欄が、情報の種類ごとに必要であるため、統合情報を一度に閲覧するためには、広い表示画面が必要である、という問題があった。また、後者の方法では、ファイル名だけの表示であるため、一瞥して情報の種類を判定することができなかった。
【０２８２】
このことに対応して第５の実施の形態は、ユーザがファイルの種類を容易に判別することが可能となるようにしている。
【０２８３】
図４０乃至図４３は本発明の第５の実施の形態に係り、図４０は内視鏡システムを示すブロック図、図４１は一覧表を示す説明図、図４２は情報一覧作成部を示す説明図、図４３は情報一覧作成部によるアイコンリストの作成の処理を示すフローチャートである。
【０２８４】
図４０乃至図４３を用いた第５の実施の形態の説明において、図１乃至図３５に示した第１乃至第３の実施の形態と同様の構成要素には同じ符号を付して説明を省略している。
【０２８５】
（構成）
図４０に示すように、第５の実施の形態における内視鏡システムにおいて、内視鏡観察装置２の出力するアナログ画像信号から動画データを生成する内視鏡動画生成装置４０３が追加されたことが、第３の実施の形態に対する構成上の変更点である。
【０２８６】
情報処理装置４０１のコンピュータ４０４内のネットワークカード２１４は、内視鏡ファイリング装置２と内視鏡動画生成装置４０３とに対して、ＬＡＮ２２０を経由して通信し、内視鏡ファイリング装置２の内視鏡画像データと内視鏡動画生成装置４０３の内視鏡動画データとを取得する。
【０２８７】
また、第５の実施の形態のコンピュータ４０４内の記憶装置４０６には、文書エディタ実行ファイル４１２が記憶されている。ＣＰＵ４１１は、文書エディタ実行ファイル４１２を基にして、文書エディタプログラムを実行する。
【０２８８】
ユーザは、文書エディタプログラムの実行により、文書を新規作成及び編集する。この編集した文書は文書ファイルとして記憶装置４０６に記憶される。文書ファイルのファイル名の拡張子には、文書の種類に応じて、ｒｔｆまたはｔｘｔを使用する。
【０２８９】
第３の実施の形態では、図２９に示すデータベース２２１内の付与情報テーブル２２７において、付与情報ファイル名として、画像ファイル名を格納していたが、第５の実施の形態では、データベース２２１内に、画像ファイル名に限らず、任意のファイル名を格納できるよう構成する。
【０２９０】
第５の実施の形態の情報入力部２３２（図３０参照）は、内視鏡ファイリング装置２より出力される画像データと、内視鏡動画生成装置４０３より出力される動画データと、ユーザにより任意に指定されるデータファイルとを、付与情報データファイルとして付与情報ファイル群２２３（図２９参照）内に記録し、付与情報テーブル２２７に新規に情報記録する処理を行う。
【０２９１】
第５の実施の形態の情報一覧作成部２３６（図４２参照）の作成する一覧表４５０を図４１を参照して説明する。
【０２９２】
図４１に示すように、一覧表４５０は、アイコンリスト４５１と、情報リスト４５２から成る。
【０２９３】
一覧表４５０はメニュー４５３を有している。
一覧表４５０のアイコンリスト４５１の表示は、アイコン４６１を縦及び横に並べて表示するよう構成している。アイコンリスト４５１は、患者情報の患者ＩＤごとに行で区切って、患者情報にリンクする付与情報に関するアイコン４６１を、患者情報ごとに縦に並べている。また、アイコンリスト４５１は、横方向に患者情報にリンクする付与情報のアイコン４６１を列挙する。
【０２９４】
第５の実施の形態におけるコンピュータ４０４で実行される診断支援情報処理プログラム２３１（図３０参照）の情報一覧作成部２３６のブロック図を図４２を参照して説明する。
【０２９５】
図４２に示すように、第５の実施の形態の情報一覧作成部２３６は、アイコン種類判別部４７１と、画像アイコン生成部４７２と、動画アイコン生成部４７３と、文書アイコン生成部４７４とを含んでいる。
【０２９６】
アイコン種類判別部４７１は、付与情報テーブル２２７（図２９参照）に記録された付与情報ファイル名の拡張子に応じて、アイコン生成処理の処理手順を決定する。アイコン生成処理を行う場合には、付与情報ファイル名を画像アイコン部４７２または動画アイコン生成部４７３または文書アイコン生成部４７４に渡す。
【０２９７】
画像アイコン生成部４７２は、付与情報ファイル名の指示するファイルの種類が画像ファイルであるとみなし、ファイル内容に基づいて縮小画像を生成して、生成した縮小画像をアイコン画像とする。
【０２９８】
動画アイコン生成部４７３は、付与情報ファイル名の指示するファイルの種類が動画ファイルであるとみなし、ファイルの先頭のフレーム画像に基づいて縮小画像を生成して、さらに縮小画像に動画を示すマーキング“Ｍ”（図４１の符号４６２）を描画して、生成した縮小画像をアイコン画像とする。
【０２９９】
文書アイコン生成部４７４は、文書を暗喩するアイコン画像を保持している。
第５の実施の形態においても、第３の実施の形態と同様に、図４２に示す情報一覧作成部２３６は、アイコンリスト４５１に表示されるアイコンが選択されると、情報リスト２５２（図３１参照）中の対応行を反転表示し、図４１に示す情報リスト４５２中の行が選択されると、対応するアイコンリスト４５１中のアイコンを反転表示する。
【０３００】
また、第５の実施の形態においても、第３の実施の形態と同様に、アイコンリスト４５１中のアイコンを選択された状態で、ユーザがメニュー２５３（図３１参照）の「情報表示」を選択すると、図４２に示す情報一覧作成部２３６は、選択されたアイコンの示すファイル種類が画像ファイルである場合には、画像を表示する。
【０３０１】
図４２に示す情報一覧作成部２３６は、選択されたアイコンの示すファイル種類が動画ファイルである場合には、動画を再生する。
【０３０２】
図４２に示す情報一覧作成部２３６は、選択されたアイコンの示すファイル種類が文書ファイルである場合には、文書エディタ実行ファイル４１２を基にして、文書エディタプログラムを実行し、文書エディタプログラム上に、選択された文書ファイルを表示するよう構成する。
【０３０３】
（作用）
第５の実施の形態において、ユーザが図４１に示す一覧表４５０のメニュー４５３から、情報検索を指示し、検索条件として患者名、検査日、診断名のいずれかを指定すると、検索実行部２３３（図３０参照）は、検索条件を元にしてデータベース２２１（図２９参照）を検索実行し、検索結果である患者情報、付与情報、関心領域情報をコンピュータ４０４内のメモリ２１２に保持する。
【０３０４】
図４２に示す情報一覧作成部２３６は、コンピュータ４０４のメモリ２１２内に保持された患者情報及び付与情報及び関心領域情報を元にして、図４１に示す一覧表４５０に表示更新する。
【０３０５】
図４２に示す情報一覧作成部２３６における図４１に示す一覧表４５０のアイコンリスト４５１の作成について説明する。
【０３０６】
図４２に示す情報一覧作成部２３６は、図４１に示すアイコンリスト４５１の作成において、図４３に示すフローに基づき、患者情報にリンクする全ての付与情報のアイコン画像を生成し、生成したアイコンをアイコンリスト４５１に貼り付ける。
【０３０７】
以降では、図４３に示すフローの処理内容を説明する。
図４３に示すように、ステップＳ８１において、図４２に示す情報一覧作成部２３６は、患者情報にリンクする付与情報の付与情報ファイル名を全て取得する。
【０３０８】
ステップＳ８２において、図４２に示す情報一覧作成部２３６内のアイコン種類判別部４７１は、ステップＳ８１において取得した付与情報ファイル名のそれぞれについて、拡張子を基にして、アイコン生成処理の処理フローを決定する。
【０３０９】
第５の実施の形態においては、ファイル名の拡張子がｂｍｐ，ｊｐｇ，ｐｎｇである場合には、画像アイコン生成部４７２での処理に対応するステップＳ８３の処理に移行する。ファイル名の拡張子がｍｐｇ，ａｖｉ，ｒｍである場合には、動画アイコン生成部４７３での処理に対応するステップＳ８４の処理に移行する。ファイル名の拡張子がｔｘｔ，ｒｔｆである場合には、文書アイコン生成部４７４での処理に対応するステップＳ８５の処理に移行する。
【０３１０】
ステップＳ８３において、画像アイコン生成部４７２は、付与情報ファイル名に対応するファイルを画像ファイルとみなし、画像ファイルの縮小画像から成るアイコン画像を生成する。
【０３１１】
ステップＳ８４において、動画アイコン生成部４７３は、付与情報ファイル名に対応するファイルを動画ファイルとみなし、動画ファイルの先頭フレーム画像の縮小画像から成るアイコン画像を生成する。
【０３１２】
ステップＳ８５において、文書アイコン生成部４７４は、文書アイコン生成部４７４の保持する文書を暗喩するアイコン画像をコピーしてアイコン画像を生成する。
【０３１３】
ステップＳ８６において、情報一覧作成部２３６は、図４１に示す一覧表４５０のアイコンリスト４５１に作成したアイコンを貼り付ける。
【０３１４】
このような構成及び作用により、記憶装置４０６には、所定の情報として付与情報テーブル２２７を記録する記録装置となっている。
【０３１５】
情報一覧作成部２３６は、前記記録装置に記録された情報の一覧表４５０を作成する一覧表作成部となっている。表示装置７は、前記一覧表作成部の作成する一覧表４５０を表示する。
【０３１６】
前記付与情報テーブル２２７は、項目値と、該項目値にリンクするリンクデータと、を組とした情報であって、前記リンクデータは複数のデータ種類から構成されている。
【０３１７】
前記一覧表４５０は、前記項目値の一覧表を表示する項目値表示領域としての情報リスト４５２と、前記リンクデータの一覧表を表示するリンクデータ表示領域としてのアイコンリスト４５１とを有する。
【０３１８】
（効果）
このような第５の実施の形態によれば、各種類のアイコンに対して、画像アイコン表示領域、動画像アイコン表示領域、文書ファイルアイコン表示領域といった、付与情報の種類に応じた表示領域を用意する必要がない。
【０３１９】
また、付与情報ファイル名の指示するファイルの内容に即してアイコン表示するため、ユーザがファイルの種類を判別することが容易になる。
【０３２０】
（第６の実施の形態）
ところで、特願２００２−３６１３２６号に示される情報処理装置においては、画像解析手法を用いた診断所見の数値化により定量的・客観的な診断支援を行うが、その画像解析定量化手法の改良及び更新は、サーバーから改良された手法処理モジュールをダウンロードして、情報処理装置内に記録されている処理モジュールと置き換えることにより実現する。
【０３２１】
しかしながら、サーバーに接続する情報処理装置の数が多いと、手法処理モジュールのダウンロードによるサーバーの負荷及び、サーバーの接続するネットワークの負荷が増大し、サーバー及び情報処理装置のレスポンスが低下する、という問題がある。
【０３２２】
また、情報処理装置には画像解析手法が多数搭載されているが、ユーザの利用する画像解析手法がその一部である場合、実際には使用されない手法処理モジュールをダウンロードすることとなり、ユーザが無用な時間をダウンロードに消費することが問題である。
【０３２３】
このことに対応して第６の実施の形態は、使用歴のある機能に関するファイルに関してのみ、ファイルの更新作業を行うことが可能となるようにしている。
【０３２４】
図４４乃至図４８は本発明の第６の実施の形態に係り、図４４は情報システムを示すブロック図、図４５はバージョンアップサーバープログラムを示すブロック図、図４６は診断支援情報処理プログラムを示すブロック図、図４７はターミナルコンピュータに接続される記憶装置を示す構成図、図４８は診断支援情報処理プログラムの処理を示すフローチャートである。
【０３２５】
図４４乃至図４８を用いた第６の実施の形態の説明において、図１乃至図４３に示した第１乃至第５の実施の形態と同様の構成要素には同じ符号を付して説明を省略している。
【０３２６】
（構成）
図４４に示すように、第６の実施の形態の情報システムは、第４の実施の形態に対して、データベースサーバ５０４上で、バージョンアップサーバープログラムを実行するよう構成されているとともに、ターミナルコンピュータ６０３上の診断支援情報処理プログラム５３１の処理ブロックに変更が加えられている。
【０３２７】
データベースサーバ５０４内の記憶装置５０６には、実行ファイル群５１２に加えてバージョンアップサーバー実行ファイル５１３が追加されている。
【０３２８】
データベースサーバ５０４のＣＰＵ５１１は、バージョンアップサーバー実行ファイル５１３を基にして、バージョンアップサーバープログラムを実行する。
【０３２９】
このようなバージョンアップサーバープログラムのブロック図を図４５に示す。
【０３３０】
図４５に示すように、バージョンアップサーバープログラム５２０は、アップロード部５２１と、バージョンアップ情報提供部５２２とを含んで構成される。
【０３３１】
バージョンアップ情報提供部５２２は、図４４に示すＬＡＮ２２０経由によりネットワークカード２１４を介して通信し、データベースサーバ５０４の外部からのバージョン情報取得要求を受け付ける。
【０３３２】
図４５に示すように、バージョンアップ情報提供部５２２は、要求を受け付けると、図４４に示す記憶装置５０６内の実行ファイル群５１２に含まれる全てのファイルについて、ファイルのバージョン情報とファイル名とを組とした情報を生成し、ＬＡＮ２２０経由でバージョン情報取得要求元に転送する。
【０３３３】
図４５に示すアップロード部５２１は、図４４に示すＬＡＮ２２０経由によりネットワークカード２１４を介して通信し、データベースサーバ５０４の外部からのダウンロード要求を受け付ける。
【０３３４】
図４５に示すアップロード部５２１は、要求を受け付けると、要求指定されたファイル名に対し、同一のファイル名であるファイルを、図４４に示す記憶装置５０６内の実行ファイル群５１２から取得し、その内容をＬＡＮ２２０経由で、ダウンロード要求元に転送する。
【０３３５】
次に、図４４に示すターミナルコンピュータ６０３上の診断支援情報処理プログラム５３１の構成について説明する。
【０３３６】
図４６に示すように、第６の実施の形態におけるターミナルコンピュータ６０３の診断支援情報処理プログラム５３１の処理ブロックは、実行履歴作成部５３２と、実行分析部５３３と、ファイル情報取得部５３４と、バージョンアップ情報取得部５３５と、ダウンロード部５３６と、ダウンロード判定部５３７と、新規ファイル追加部５３８と、ファイルリストアップ部５３９と、ダウンロード実行部５４０とを追加したこと以外は、第４の実施の形態の診断支援情報処理プログラム３３１の構成と同一である。
【０３３７】
実行履歴作成部５３２は、診断支援情報処理プログラム５３１の保持する各機能、すなわち、情報の入力、表示内容の作成、数値解析処理、データベースのバックアップと復元といった機能の実行を監視し、機能実行履歴情報を随時作成及び更新して、図４４に示すターミナルコンピュータ６０３の図４７に示す記憶装置６０６内に実行履歴ファイル６１３として、記憶させる。記憶装置６０６内には、実行ファイル群６１２も記憶されている。
【０３３８】
図４６に示す実行分析部５３３は、図４７に示す記憶装置６０６内の実行ファイル群６１２内に記憶されたファイルに対して、各ファイルに埋め込まれている、担当機能情報を抽出し、機能と機能の実行に必要となるファイル名とを、対応づけて保持する。
【０３３９】
また、図４６に示す実行分析部５３３は、図４７に示す実行履歴ファイル６１３を元にして、診断支援情報処理プログラム５３１の各機能の使用歴の有無を判定し、その判定結果を保持する。
【０３４０】
図４６に示すファイル情報取得部５３４は、指示されたファイル名について、同一のファイル名であるファイルを、図４７に示す記憶装置６０６内の実行ファイル群６１２の中から取得し、該ファイルのバージョン情報を取得する。
【０３４１】
図４６に示すバージョンアップ情報取得部５３５は、図４４に示すＬＡＮ２２０経由によりネットワークカード２１４を介して通信し、データベースサーバ５０４に対してバージョン情報の取得要求を行い、データベースサーバ５０４から返される、バージョン情報とファイル名とを組とした情報を取得して保持する。
【０３４２】
図４６に示すダウンロード部５３６は、図４４に示すＬＡＮ２２０経由によりネットワークカード２１４を介して通信し、データベースサーバ５０４へのファイル名の指示によるファイルのダウンロード要求を行い、要求したファイルをデータベースサーバ５０４から取得する。
【０３４３】
また、図４６に示すダウンロード部５３６は、前記ダウンロード要求により取得したファイルを、図４７に示す記憶装置６０６内の実行ファイル群６１２内へ格納する。
【０３４４】
図４６に示すダウンロード判定部５３７は、指示されたファイル名に関して、ファイル情報取得部５３４から得るバージョン情報と、バージョンアップ情報取得部５３５の保持するバージョン情報とを比較し、ファイル情報取得部５３４から得るバージョン情報の方が古い場合に、ダウンロード部５３６に対して、指示されたファイルのダウンロードを指示する。
【０３４５】
新規ファイル追加部５３８は、バージョンアップ情報取得部５３５の取得したファイル名のそれぞれについて、ターミナルコンピュータ６０３の図４７に示す記憶装置６０６内の実行ファイル群６１２内におけるファイルの存在を確認し、バージョンアップ情報取得部５３５の取得したファイル名と同一のファイルが存在しない場合には、ダウンロード部５３６に対して、存在しないファイルのダウンロードを指示する。
【０３４６】
図４６に示すファイルリストアップ部５３９は、実行分析部５３３の保持する使用歴の判定結果から、使用歴がある機能をリストアップし、機能リストとして保持する。
【０３４７】
また、ファイルリストアップ部５３９は、自身の保持する機能リストの各々について、実行分析部５３３の保持する、機能とファイルの対応情報から、機能に対応するファイル名をリストアップし、ファイル名リストとして保持する。
【０３４８】
ダウンロード実行部５４０は、ファイルリストアップ部５３９の保持するファイル名リストの各々について、ダウンロード判定部５３７に指示する。
【０３４９】
診断支援情報処理プログラム５３１内の各機能に関する処理ブロックは、処理を実行する際に、前記実行分析部５３３の保持する使用歴の判定結果を問い合わせ、使用歴がない場合には、前記ダウンロード判定部５３７に対して、当該機能の処理実行に必要な全てのファイルを指示する。
【０３５０】
（作用）
第６の実施の形態のターミナルコンピュータ６０３において、診断支援情報処理プログラム５３１を起動する際に実行される処理の処理フローを、図４８を用いて説明する。
【０３５１】
ユーザがターミナルコンピュータ６０３において、診断支援情報処理プログラム５３１を起動すると、図４８に示すように、ステップＳ９１において、図４４に示すターミナルコンピュータ６０３の図４６に示す診断支援情報処理プログラム５３１は、データベースサーバ５０４の保持する実行ファイルのバージョン取得を行う。
【０３５２】
さらに、ステップＳ９１において、図４６に示す診断支援情報処理プログラム５３１のバージョンアップ情報取得部５３５は、データベースサーバ５０４に対して、データベースサーバ５０４の記憶装置５０６内の実行ファイル群５１２内のファイル名及びそのバージョン情報の取得要求を行う。
【０３５３】
データベースサーバ５０４では、バージョンアップサーバープログラム５２０が起動しており、データベースサーバプログラム５２０内のバージョンアップ情報提供部５２２は、図４４に示すターミナルコンピュータ６０３のバージョン情報取得要求を受け付けて、データベースサーバ５０４の記憶装置５０６内の実行ファイル群５１２に含まれる全てのファイルについて、ファイルのバージョン情報とファイル名とを組とした情報を生成し、ＬＡＮ２２０経由でターミナルコンピュータ６０３に情報を転送する。
【０３５４】
ターミナルコンピュータ６０３の図４６に示すバージョンアップ情報取得部５３５は、図４４に示すデータベースサーバ５０４から転送された情報を取得し、保持する。
【０３５５】
続いて、ステップＳ９２において、図４６に示す診断支援情報処理プログラム５３１の新規ファイル追加部５３８は、ステップＳ９１で取得した情報を元にして、図４４に示すデータベースサーバ５０４の実行ファイル群５１２内に存在し、ターミナルコンピュータ６０３の図４７に示す実行ファイル群６１２内に存在しないファイルを抽出し、抽出したファイルのダウンロードを、図４６に示すダウンロード部５３６に対して指示する。ダウンロード部５３６は、指示されたファイルについて、図４４に示すデータベースサーバ５０４へ取得要求を行う。
【０３５６】
図４５に示すデータベースサーバプログラム５２０内のアップロード部５２１は、図４４に示すターミナルコンピュータ６０３の要求を受け付け、要求指定されたファイル名と同一のファイル名であるファイルを、記憶装置５０６内の実行ファイル群５１２から取得し、その内容をＬＡＮ２２０経由で、ターミナルコンピュータ６０３に転送する。
【０３５７】
ターミナルコンピュータ６０３の図４６に示す新規ファイル追加部５３８は、図４４に示すデータベースサーバ５０４から転送された情報を取得し、図４７に示す記憶装置６０６内の実行ファイル群６１２に記録する。
【０３５８】
次に、ステップＳ９３において、図４６に示す診断支援情報処理プログラム５３１の実行分析部５３３は、図４７に示す記憶装置６０６に記憶されている実行履歴ファイル６１３を基にして、各機能の使用歴の有無を判定し、判定結果を保持する。ここで、実行履歴ファイル６１３は、前回診断支援情報処理プログラム５３１の実行時に、実行履歴作成部５３２が作成、更新したファイルである。
【０３５９】
また図４６に示す診断支援情報処理プログラム５３１の実行分析部５３３は、図４７に示す実行ファイル群６１２内のファイルを基にして、機能と機能を担当するファイルとの対応情報を取得し、保持する。
【０３６０】
次に、ステップＳ９４において、図４６に示す診断支援情報処理プログラム５３１のファイルリストアップ部５３９は、機能の使用歴に基づいて、図４４に示すデータベースサーバ５０４からのダウンロードの対象となるファイルをリストアップする。
【０３６１】
図４６に示す診断支援情報処理プログラム５３１のファイルリストアップ部５３９は、実行分析部５３３の保持する使用歴の判定結果において、使用歴がある機能をリストアップし、さらに、リストアップした機能について、実行分析部５３３の保持する、機能とファイルの対応情報を基にして、機能に対応するファイル名をリストアップし、保持する。
【０３６２】
ステップＳ９５において、ダウンロード実行部５４０は、ステップＳ９４においてファイルリストアップ部がリストアップしたファイル名リストの各々を、ダウンロード判定部５３７に指示する。
【０３６３】
ダウンロード判定部５３７では、指示されたファイル名に関して、ファイル情報取得部５３４から得るバージョン情報と、バージョンアップ情報取得部５３５の保持するバージョン情報とを比較し、ファイル情報取得部５３４から得るバージョン情報が古い場合に、ダウンロード部５３６に対して、ファイルのダウンロードを指示する。
【０３６４】
図４５に示すデータベースサーバプログラム５２０内のアップロード部５２１は、図４４に示すターミナルコンピュータ６０３の要求を受け付け、要求指定されたファイル名と同一のファイル名であるファイルを、記憶装置５０６内の実行ファイル群５１２から取得し、その内容をＬＡＮ２２０経由で、ターミナルコンピュータ６０３に転送する。
【０３６５】
ターミナルコンピュータ６０３の図４６に示すダウンロード部５３６は、図４４に示すデータベースサーバ５０４から転送された情報を取得し、図４７に示す実行ファイル群６１２内のファイルの更新を行う。
【０３６６】
以上により、図４４に示すターミナルコンピュータ６０３において、使用歴のある機能に関して、実行ファイル群６１２の機能に関連するファイルの更新を行い、機能のバージョンアップを行う。
【０３６７】
また、図４６に示す診断支援情報処理プログラム５３１の各機能を実行する際に、機能を担当する各処理ブロックが、当該機能に関して前記実行分析部５３３の保持する使用歴の判定結果を問い合わせ、使用歴がない場合には、前記ダウンロード判定部５３７に対して、機能の処理実行に必要な全てのファイルを指示することにより、図４４に示すターミナルコンピュータ６０３内の図４７に示す実行ファイル群６１２内のファイルの更新を行う。
【０３６８】
このような構成及び作用により、ＬＡＮ２２０は、通信ネットワークとなっている。
【０３６９】
データベースサーバ５０４は、前記ＬＡＮ２２０に接続された情報管理装置となっている。
【０３７０】
ターミナルコンピュータ６０３は、前記ＬＡＮ２２０に接続された情報処理装置となっている。
【０３７１】
前記データベースサーバ５０４は、前記ターミナルコンピュータ６０３の保持するファイル（実行ファイル群６１２）を更新する更新ファイル（実行ファイル群５１２）と該更新ファイルに関する更新ファイル情報（バージョンアップサーバー実行ファイル５１３）とを保持している。
【０３７２】
前記ターミナルコンピュータ６０３は、前記データベースサーバ５０４から、前記更新ファイルを取得して、前記ターミナルコンピュータ６０３の保持するファイル（実行ファイル群６１２）を、取得した更新ファイルに更新するバージョンアップ手段（診断支援情報処理プログラム５３１）を備えている。
【０３７３】
前記バージョンアップ手段は、前記ターミナルコンピュータ６０３の有する機能の使用履歴情報（実行履歴ファイル６１３）に基づいて、前記データベースサーバ５０４から取得する前記更新ファイルを決定する、更新ファイル決定手段（ダウンロード判定部５３７）を有する。
【０３７４】
（効果）
このような第６の実施の形態によれば、ターミナルコンピュータ６０３は、使用歴のある機能に関するファイルに関してのみ、ファイルの更新作業を行うため、ダウンロード時間の短縮、サーバー及びネットワークの負荷軽減が行える。
【０３７５】
また、第６の実施の形態によれば、サーバーからのファイルのダウンロードに対してファイル単位、または転送量単位の課金を行う場合、ユーザに対して不要な課金を科す必要がなく、公正な課金体系を実現することが可能となる。
【０３７６】
［付記］
以上詳述したような本発明の前記実施の形態によれば、以下の如き構成を得ることができる。
【０３７７】
（付記項１）  少なくとも１つの項目を含む少なくとも１つのレコードから成るデータを読み込むための読み込み手段と、
前記読み込み手段により読み込まれたデータを一覧表示するためのデータ一覧表示手段と、
少なくとも１つの画像を一覧表示するための画像一覧表示手段と、
前記データ一覧表示におけるレコード及び前記画像一覧表示における画像を各々指定するための指定手段と、
前記指定手段により指定されたレコード及び画像を関連付けて記憶するための記憶手段とを備えたことを特徴とする情報処理装置。
【０３７８】
（付記項２）  前記データは表形式で構成されたデータを含むデータファイルであることを特徴とする付記項１記載の情報処理装置。
【０３７９】
（付記項３）  前記画像一覧表示手段は、
画像ファイルを読み込むための画像読み込み手段と、
前記画像読み込み手段により読み込まれた画像を縮小するための縮小手段と、
前記縮小手段により縮小された縮小画像を一覧表示するための縮小画像一覧表示手段とを備えたことを特徴とする付記項１または２に記載の情報処理装置。
【０３８０】
（付記項４）  前記記憶手段は、
前記指定手段により指定された少なくとも１つのレコードに対し、前記指定手段により指定された少なくとも１つの画像に対応する画像ファイルを特定する情報を付加することにより関連付けを行うことを特徴とする付記項１乃至３のいずれか１つに記載の情報処理装置。
【０３８１】
（付記項５）  前記画像ファイルを特定する情報は画像ファイル名に基づく情報であることを特徴とする付記項４記載の情報処理装置。
【０３８２】
（付記項６）  少なくとも１つの項目を含む少なくとも１つのレコードから成るデータを含むデータファイルを読み込むためのデータ読み込み手段と、
前記データ読み込み手段により読み込まれたデータを一覧表示するためのデータ一覧表示手段と、
少なくとも１つの画像ファイルを読み込むための画像読み込み手段と、
前記画像読み込み手段により読み込まれた画像を一覧表示するための画像一覧表示手段と、
前記データ一覧表示におけるレコード及び前記画像一覧表示における画像を各々指定するための指定手段と、
前記指定手段により指定されたレコードに対し、前記指定手段により指定された画像を関連付けるための関連付け手段と、
前記関連付け手段による関連付けの結果を記憶する記憶手段とを備えたことを特徴とする情報処理装置。
【０３８３】
（付記項７）  前記データが項目として患者情報及び／または内視鏡検査情報及び／または診断情報の少なくともいずれか１つを含むことを特徴とする付記項１乃至６のいずれか１つに記載の情報処理装置。
【０３８４】
（付記項８）  前記画像は内視鏡画像であることを特徴とする付記項１乃至７のいずれか１つに記載の情報処理装置。
【０３８５】
（付記項９）  少なくとも１つの項目を含む少なくとも１つのレコードから成るデータを含むデータファイルを読み込むデータ読み込みステップと、
前記読み込まれたデータを一覧表示するデータ一覧表示ステップと、
少なくとも１つの画像ファイルを読み込む画像読み込みステップと、
前記読み込まれた画像を一覧表示する画像一覧表示ステップと、
前記データ一覧表示におけるレコード及び前記画像一覧表示における画像を各々指定するための指定ステップと、
前記指定されたレコードに対し、前記指定された画像を関連付けるための関連付けステップと、
前記関連付けの結果を記憶する記憶ステップと、から成ることを特徴とする情報処理方法。
【０３８６】
（付記項１０）  画像データを非可逆圧縮ファイル化するための圧縮手段と、前記画像データに対し非可逆圧縮の適用を示す情報を重畳する重畳手段とを備えたことを特徴とする情報処理装置。
【０３８７】
（付記項１１）  前記情報は非可逆圧縮処理の適用及び／または非可逆圧縮処理適用後のファイルサイズ及び／または非可逆圧縮処理適用による画質の程度を表す情報の少なくとも１つを含むことを特徴とする付記項１０記載の情報処理装置。
【０３８８】
（付記項１２）  画像データを非可逆圧縮ファイル化するための圧縮手段と、前記圧縮手段による画像データの圧縮後のファイルサイズを取得するためのファイルサイズ取得手段と、
前記圧縮手段による圧縮適用前の前記画像データ上に前記ファイルサイズを重畳するための重畳手段とを備え、
前記重畳手段によるファイルサイズ重畳後の前記圧縮適用前の画像を前記圧縮手段により再度圧縮することを特徴とする情報処理装置。
【０３８９】
（付記項１３）  非可逆圧縮された画像ファイルを伸張することにより画像データを取得するための画像データ取得手段と、
前記画像ファイルの非可逆圧縮に関する情報を前記画像データに重畳するための重畳手段と、
前記重畳手段による情報が重畳された画像データを保存するための保存手段とを備えたことを特徴とする情報処理装置。
【０３９０】
（付記項１４）  前記情報が文字列から成ることを特徴とする付記項１０乃至１３のいずれか１つに記載の情報処理装置。
【０３９１】
（付記項１５）  前記情報が特定のパターンまたは色情報であることを特徴とする付記項１０乃至１４のいずれか１つに記載の情報処理装置。
【０３９２】
（付記項１６）  前記重畳手段が圧縮率の程度に応じて異なる情報を重畳することを特徴とする付記項１５に記載の情報処理装置。
【０３９３】
（付記項１７）  前記情報が少なくとも画像解析処理適用可否のいずれかを示すものであることを特徴とする付記項１６に記載の情報処理装置。
【０３９４】
（付記項１８）  前記画像データが内視鏡画像であることを特徴とする付記項１０乃至１７のいずれか１つに記載の情報処理装置。
【０３９５】
（付記項１９）  所定の情報を複数のデータファイルに記録する記録装置と、前記記録装置に記録されたデータファイルのバックアップファイルを作成するバックアップファイル作成手段と、前記バックアップファイル作成手段の作成するバックアップファイルに記録されている情報を前記記録装置に復元する復元手段と、から成る情報処理装置において、
前記バックアップファイルは、前記複数のデータファイルの各々に対応するバックアップファイルを結合した単一のファイルであることを特徴とする情報処理装置。
【０３９６】
（付記項２０）  前記複数のデータファイルは、データベースを構成するデータベースファイルであることを特徴とする付記項１９に記載の情報処理装置。
【０３９７】
（付記項２１）  前記データベースファイルの構成するデータベースは、前記所定の情報が格納されているデータファイルの所在位置またはファイル名を記録するデータベースであることを特徴とする付記項２０に記載の情報処理装置。
【０３９８】
（付記項２２）  前記データファイルは、画像データが記録された画像ファイルであることを特徴とする付記項１９乃至２１のいずれか１つに記載の情報処理装置。
【０３９９】
（付記項２３）  前記画像データは、内視鏡画像データであることを特徴とする付記項１９乃至２２のいずれか１つに記載の情報処理装置。
【０４００】
（付記項２４）  前記データファイルは、動画データが記録された動画ファイルであることを特徴とする付記項１９乃至２３のいずれか１つに記載の情報処理装置。
【０４０１】
（付記項２５）  前記データファイルは、文書データが記録された文書ファイルであることを特徴とする付記項１９乃至２４のいずれか１つに記載の情報処理装置。
【０４０２】
（付記項２６）  前記データファイルは、音声データが記録された音声ファイルであることを特徴とする付記項１９乃至２５のいずれか１つに記載の情報処理装置。
【０４０３】
（付記項２７）  前記所定の情報は、医用情報であることを特徴とする付記項１９乃至２６のいずれか１つに記載の情報処理装置。
【０４０４】
（付記項２８）  通信ネットワークと、前記通信ネットワークに接続された情報管理装置と、前記通信ネットワークに接続された情報処理装置と、から成る情報システムにおいて、
前記情報処理装置は、前記情報管理装置との接続情報を保持する接続情報保持手段を備え、
前記情報処理装置は、前記接続情報保持手段の保持する接続情報に基づいて、前記情報処理装置の有する機能動作を制限することを特徴とする情報システム。
【０４０５】
（付記項２９）  前記情報処理装置は、前記情報管理装置の管理する情報をダウンロードして表示する表示装置を備え、
前記情報処理装置は、前記接続情報保持手段の保持する接続情報に基づいて、前記表示装置に表示する内容を制限することを特徴とする付記項２８に記載の情報システム。
【０４０６】
（付記項３０）  前記情報処理装置は、情報を記録する記録装置と、前記情報管理装置の管理する情報をダウンロードして前記記録装置に記録する外部記録手段と、を備え、
前記外部記録手段は、前記接続情報保持手段の保持する接続情報に基づいて、前記記録装置に記録する内容を制限することを特徴とする付記項２８または２９に記載の情報システム。
【０４０７】
（付記項３１）  前記情報管理装置の管理する情報は、医用情報であることを特徴とする付記項２８乃至３０のいずれか１つに記載の情報システム。
【０４０８】
（付記項３２）  所定の情報を記録する記録装置と、前記記録装置に記録された情報の一覧表を作成する一覧表作成部と、前記一覧表作成部の作成する一覧表を表示する表示装置と、から成る情報処理装置において、
前記所定の情報は、項目値と、該項目値にリンクするリンクデータと、
を組とした情報であって、
前記リンクデータは複数のデータ種類から構成され、
前記一覧表は、
前記項目値の一覧表を表示する項目値表示領域と、
前記リンクデータの一覧表を表示するリンクデータ表示領域と、を有することを特徴とする情報処理装置。
【０４０９】
（付記項３３）  前記データ種類は、画像ファイルと、動画ファイルと、音声ファイルと、文書ファイルと、であり、
前記一覧表作成部は、同一の項目値にリンクするリンクデータを、前記リンクデータ表示領域内の所定の表示領域に表示することを特徴とする付記項３２に記載の情報処理装置。
【０４１０】
（付記項３４）  前記画像ファイルは、内視鏡画像データを記録した画像ファイルであることを特徴とする付記項３３に記載の情報処理装置。
【０４１１】
（付記項３５）  前記一覧表作成部は、前記リンクデータの種類に応じたアイコンを、前記リンクデータ表示領域に表示することを特徴とする付記項３２乃至３４のいずれか１つに記載の情報処理装置。
【０４１２】
（付記項３６）  前記情報処理装置は、前記データ種類に応じて情報の再生を行う情報再生手段を備え、
前記情報再生手段は、前記リンクデータ表示領域に表示されたアイコンのうち、選択されているアイコンに関するリンクデータを、リンクデータのデータ種類に応じて再生することを特徴とする付記項３５に記載の情報処理装置。
【０４１３】
（付記項３７）  通信ネットワークと、前記通信ネットワークに接続された情報管理装置と、前記通信ネットワークに接続された情報処理装置と、から成る情報システムにおいて、
前記情報管理装置は、前記情報処理装置の保持するファイルを更新する更新ファイルと該更新ファイルに関する更新ファイル情報とを保持し、
前記情報処理装置は、前記情報管理装置から、前記更新ファイルを取得して、前記情報処理装置の保持するファイルを、取得した更新ファイルに更新するバージョンアップ手段を備え、
前記バージョンアップ手段は、前記情報処理装置の有する機能の使用履歴情報に基づいて、前記情報管理装置から取得する前記更新ファイルを決定する、更新ファイル決定手段を有することを特徴とする情報システム。
【０４１４】
（付記項３８）  前記使用履歴情報は、機能の実行動作の有無に基づく情報であることを特徴とする付記項３７に記載の情報システム。
【０４１５】
（付記項３９）  前記使用履歴情報は、機能の実行動作の利用回数に基づく情報であることを特徴とする付記項３７に記載の情報システム。
【０４１６】
（付記項４０）  前記使用履歴情報は、所定の期間内における機能の使用履歴情報であることを特徴とする付記項３７乃至３９のいずれか１つに記載の情報システム。
【０４１７】
（付記項４１）  前記更新ファイル決定手段は、前記情報処理装置の有する機能と、該機能を実行するために必要なファイルを組とする更新対象ファイル情報を保持し、前記更新ファイル決定手段は、前記使用履歴情報と、前記更新対象ファイル情報と、前記情報管理装置から取得した前記更新ファイル情報と、に基づいて、前記情報管理装置から取得する前記更新ファイルを決定することを特徴とする、付記項３７乃至４０のいずれか１つに記載の情報システム。
【０４１８】
（付記項４２）  前記情報処理装置の有する機能は、画像データ処理機能と、数値データ処理機能と、であることを特徴とする付記項３７乃至４１のいずれか１つに記載の情報システム。
【０４１９】
（付記項４３）  前記画像データ処理機能は、内視鏡画像の画像データを画像処理する機能であることを特徴とする付記項４２に記載の情報システム。
【０４２０】
（付記項４４）  前記数値データ処理機能は、医療に関連する数値データを解析処理する機能であることを特徴とする付記項４２に記載の情報システム。
【０４２１】
（付記項４５）  前記情報管理装置は、データベースサーバであることを特徴とする付記項３７乃至４４のいずれか１つに記載の情報システム。
【０４２２】
（付記項４６）  前記情報処理装置は、ターミナルコンピュータであることを特徴とする付記項３７乃至４４のいずれか１つに記載の情報システム。
【０４２３】
【発明の効果】
以上述べた様に本発明によれば、画像とレコードを簡便に対応付けて管理することが可能となり、ユーザの操作の手間を減らすことができる。
【図面の簡単な説明】
【図１】本発明の第１の実施の形態に係る内視鏡情報システムを示すブロック図。
【図２】本発明の第１の実施の形態に係る記憶装置に記憶されるデータベースを示す説明図。
【図３】本発明の第１の実施の形態に係る情報入力部を示すブロック図。
【図４】本発明の第１の実施の形態に係る入力ウィンドウを示す説明図。
【図５】本発明の第１の実施の形態に係る上段、中段、下段の入力ウィンドウを示す説明図。
【図６】本発明の第１の実施の形態に係る検索条件入力ウィンドウを示す説明図。
【図７】本発明の第１の実施の形態に係る画像特徴量作成部を示すブロック図。
【図８】本発明の第１の実施の形態に係るグラフ作成条件入力ウィンドウを示す説明図。
【図９】本発明の第１の実施の形態に係る検定実行条件入力ウィンドウを示す説明図。
【図１０】本発明の第１の実施の形態に係る一覧表を示す説明図。
【図１１】本発明の第１の実施の形態に係る表示列管理表を示す説明図。
【図１２】本発明の第１の実施の形態に係るログオン処理ウィンドウを示す第１の説明図。
【図１３】本発明の第１の実施の形態に係る内視鏡ファイリング装置におけるユーザ情報の管理例を示す説明図。
【図１４】本発明の第１の実施の形態に係るログオン処理ウィンドウを示す第２の説明図。
【図１５】本発明の第１の実施の形態に係るユーザ管理部を示すブロック図。
【図１６】本発明の第１の実施の形態の特徴を説明するための比較例の関連付け処理の流れを示すフローチャート。
【図１７】図１６の比較例による表型式ファイル選択のためのダイアログを示す説明図。
【図１８】本発明の第１の実施の形態に係るデータ一覧表示を示す説明図。
【図１９】本発明の第１の実施の形態に係るデータ一覧表示によるレコードの選択を示す説明図。
【図２０】図１６の比較例による画像ファイル選択のためのダイアログを示す説明図。
【図２１】本発明の第１の実施の形態に係る関連付け処理の流れを説明するためのフローチャート。
【図２２】本発明の第１の実施の形態に係る画像一覧表示ウィンドウを示す説明図。
【図２３】本発明の第１の実施の形態に係る画像一覧表示ウィンドウによるレコードの選択を示す説明図。
【図２４】本発明の第２の実施の形態に係る外部情報入出力部を示すブロック図。
【図２５】本発明の第２の実施の形態に係る外部情報入出力部の動作を説明するためのフローチャート。
【図２６】本発明の第２の実施の形態に係る画像圧縮の詳細を設定するための設定ウィンドウを示す説明図。
【図２７】本発明の第２の実施の形態に係る圧縮情報付加原画像を示す説明図。
【図２８】本発明の第３の実施の形態に係る内視鏡情報システムを示すブロック図。
【図２９】本発明の第３の実施の形態に係る記憶装置に記憶されるデータベースを示す説明図。
【図３０】本発明の第３の実施の形態に係る診断支援情報処理プログラムを示すブロック図。
【図３１】本発明の第３の実施の形態に係る一覧表を示す説明図。
【図３２】本発明の第３の実施の形態に係るアーカイブファイルの構造を示す説明図。
【図３３】本発明の第３の実施の形態に係る診断支援情報処理プログラムによるイベントループを示すフローチャート。
【図３４】本発明の第３の実施の形態に係る診断支援情報処理プログラムによるデータのバックアップを示すフローチャート。
【図３５】本発明の第３の実施の形態に係る診断支援情報処理プログラムによるデータの復元を示すフローチャートである。
【図３６】本発明の第４の実施の形態に係る内視鏡情報システムを示すブロック図。
【図３７】本発明の第４の実施の形態に係る診断支援情報処理プログラムを示す説明図。
【図３８】本発明の第４の実施の形態に係るターミナルコンピュータとデータベースサーバの通信が確立されない状況における診断支援情報処理プログラムの処理を示すフローチャート。
【図３９】本発明の第４の実施の形態に係るターミナルコンピュータとデータベースサーバの通信が確立された状況における診断支援情報処理プログラムの処理を示すフローチャート。
【図４０】本発明の第５の実施の形態に係る内視鏡情報システムを示すブロック図。
【図４１】本発明の第５の実施の形態に係る一覧表を示す説明図。
【図４２】本発明の第５の実施の形態に係る情報一覧作成部を示す説明図。
【図４３】本発明の第５の実施の形態に係る情報一覧作成部によるアイコンリストの作成の処理を示すフローチャート。
【図４４】本発明の第６の実施の形態に係る情報システムを示すブロック図。
【図４５】本発明の第６の実施の形態に係るバージョンアップサーバープログラムを示すブロック図。
【図４６】本発明の第６の実施の形態に係る診断支援情報処理プログラムを示すブロック図。
【図４７】本発明の第６の実施の形態に係るターミナルコンピュータに接続される記憶装置を示す構成図。
【図４８】本発明の第６の実施の形態に係る診断支援情報処理プログラムの処理を示すフローチャートである。
【符号の説明】
１              …ターミナルコンピュータ６０３
２              …内視鏡観察装置
３              …内視鏡ファイリング装置
４              …コンピュータ
５              …操作装置
６              …記憶装置
７              …表示装置
８              …外部記憶装置
１１            …情報入力部
１２            …検索条件入力部
１３            …画像特徴量作成部
１４            …画像関心領域作成部
１５            …情報一覧作成部
１６            …グラフ実行部
１７            …検定実行部
１８            …外部情報入出力部
１９            …ユーザ管理部
７０            …画像一覧表示ウィンドウ
７１            …フォルダ選択領域
７２            …画像一覧表示領域
７３            …メニュー
７４            …マウスカーソル
【図１】
2005011121.tif 000003
【図２】
2005011121.tif 000004
【図３】
2005011121.tif 000005
【図４】
2005011121.tif 000006
【図５】
2005011121.tif 000007
【図６】
2005011121.tif 000008
【図７】
2005011121.tif 000009
【図８】
2005011121.tif 000010
【図９】
2005011121.tif 000011
【図１０】
2005011121.tif 000012
【図１１】
2005011121.tif 000013
【図１２】
2005011121.tif 000014
【図１３】
2005011121.tif 000015
【図１４】
2005011121.tif 000016
【図１５】
2005011121.tif 000017
【図１６】
2005011121.tif 000018
【図１７】
2005011121.tif 000019
【図１８】
2005011121.tif 000020
【図１９】
2005011121.tif 000021
【図２０】
2005011121.tif 000022
【図２１】
2005011121.tif 000023
【図２２】
2005011121.tif 000024
【図２３】
2005011121.tif 000025
【図２４】
2005011121.tif 000026
【図２５】
2005011121.tif 000027
【図２６】
2005011121.tif 000028
【図２７】
2005011121.tif 000029
【図２８】
2005011121.tif 000030
【図２９】
2005011121.tif 000031
【図３０】
2005011121.tif 000032
【図３１】
2005011121.tif 000033
【図３２】
2005011121.tif 000034
【図３３】
2005011121.tif 000035
【図３４】
2005011121.tif 000036
【図３５】
2005011121.tif 000037
【図３６】
2005011121.tif 000038
【図３７】
2005011121.tif 000039
【図３８】
2005011121.tif 000040
【図３９】
2005011121.tif 000041
【図４０】
2005011121.tif 000042
【図４１】
2005011121.tif 000043
【図４２】
2005011121.tif 000044
【図４３】
2005011121.tif 000045
【図４４】
2005011121.tif 000046
【図４５】
2005011121.tif 000047
【図４６】
2005011121.tif 000048
【図４７】
2005011121.tif 000049
【図４８】
2005011121.tif 000050